(57)【特許請求の範囲】
【請求項１】
第１の領域と、第１の領域に隣接する第２の領域と、第２の領域に隣接する第３の領域を有する画素部を有し、
前記第１の領域乃至前記第３の領域は、マトリクス状に配列された複数の画素を有し、
前記複数の画素に重畳し、第１の色相の光と、第２の色相の光と、第３の色相の光を供給する複数のバックライトユニットを有し、
右眼用画像表示を行う右眼用画像表示期間と、左眼用画像表示を行う左眼用画像表示期間と、を交互に有する表示装置の駆動方法であって、
前記右眼用画像表示期間及び前記左眼用画像表示期間は、
第１のサブフレーム期間と、第２のサブフレーム期間と、第３のサブフレーム期間と、第４のサブフレーム期間と、を有し、
前記第１のサブフレーム期間に、
前記第１の領域が有する前記複数の画素に前記第１の色相信号を供給した後、前記バックライトユニットから前記第１の色相の光を供給し、
前記第２の領域が有する前記複数の画素に前記第３の色相信号を供給した後、前記バックライトユニットから前記第３の色相の光を供給し、
前記第３の領域が有する前記複数の画素に前記第２の色相信号を供給した後、前記バックライトユニットから前記第２の色相の光を供給し、
前記第２のサブフレーム期間に、
前記第１の領域が有する前記複数の画素に前記第２の色相信号を供給した後、前記バックライトユニットから前記第２の色相の光を供給し、
前記第２の領域が有する前記複数の画素に前記第１の色相信号を供給した後、前記バックライトユニットから前記第１の色相の光を供給し、
前記第３の領域が有する前記複数の画素に前記第３の色相信号を供給した後、前記バックライトユニットから前記第３の色相の光を供給し、
前記第３のサブフレーム期間に、
前記第１の領域が有する前記複数の画素に前記第３の色相信号を供給した後、前記バックライトユニットから前記第３の色相の光を供給し、
前記第２の領域が有する前記複数の画素に前記第２の色相信号を供給した後、前記バックライトユニットから前記第２の色相の光を供給し、
前記第３の領域が有する前記複数の画素に前記第１の色相信号を供給した後、前記バックライトユニットから前記第１の色相の光を供給し、
前記第４のサブフレーム期間に、
前記第１の領域乃至前記第３の領域の前記複数のバックライトユニットを消灯し、
前記第１のサブフレーム期間に、
前記第１の領域が有する前記第２の領域に隣接する画素に、前記第４のサブフレーム期間に前記第２の領域に隣接する画素に保持される色相信号と同一の色相信号を保持することを特徴とする表示装置の駆動方法。
【請求項２】
請求項１において、
前記複数の画素は、トランジスタを有し、
前記トランジスタは、酸化物半導体をチャネル形成領域に有することを特徴とする表示装置の駆動方法。
【請求項３】
請求項１または請求項２において、
前記第１のサブフレーム期間に、
前記第２の領域が有する前記第３の領域に隣接する画素に、前記第４のサブフレーム期間に前記第３の領域に隣接する画素に保持される色相信号と同一の色相信号を保持することを特徴とする表示装置の駆動方法。
【請求項４】
請求項１乃至請求項３のいずれか１項において、
前記第４のサブフレーム期間に、
前記第２の領域が有する前記第１の領域に隣接する画素に、前記第１のサブフレーム期間に前記第１の領域に隣接する画素に保持される色相信号と同一の色相信号を保持することを特徴とする表示装置の駆動方法。
【請求項５】
請求項１乃至請求項４のいずれか１項において、
前記第４のサブフレーム期間に、
前記第３の領域が有する前記第２の領域に隣接する画素に、前記第１のサブフレーム期間に前記第２の領域に隣接する画素に保持される色相信号と同一の色相信号を保持することを特徴とする表示装置の駆動方法。
【発明の詳細な説明】
【技術分野】
【０００１】
本発明の一態様は、表示装置、及び表示装置の駆動方法に関する。
【０００２】
なお、本明細書中において半導体装置とは、半導体特性を利用することで機能しうる装置全般を指し、半導体回路、記憶装置、撮像装置、表示装置、電気光学装置及び電子機器などは全て半導体装置である。
【背景技術】
【０００３】
近年、液晶表示装置やエレクトロルミネセンス表示装置（ＥＬ表示装置ともいう）などを用いた擬似的に立体映像（三次元画像）の視認が可能な表示装置の開発が進んでいる。
【０００４】
上記擬似的に三次元画像の視認が可能な表示装置としては、例えば人間における左右の眼の視差を利用して二次元の画像を三次元に知覚させる表示装置が挙げられる。該表示装置の一例では、画素部により左眼用画像及び右眼用画像を交互に表示させ、該画像を、視認者が両眼に対応するシャッターを備えたメガネを介して視認する。このとき、表示画像が左眼用の画像のときにはメガネの右眼に対応するシャッターを閉じて視認者の右眼への光の入射を遮断し、表示画像が右眼用の画像のときにはメガネの左眼に対応するシャッターを閉じて視認者の左眼への光の入射を遮断する。すると、二次元の画像が擬似的に三次元の画像に見える。
【０００５】
さらに、左眼用画像及び右眼用画像のそれぞれを表示する際に、各画像を表示する単位フレーム期間を複数のサブフレーム期間に分割し、サブフレーム期間毎に画素回路（表示回路ともいう）に照射するライトユニット（バックライトを含む）の光の色を異なる色に切り替えることにより、単位フレーム期間毎にフルカラーの画像を表示する方式（フィールドシーケンシャル方式ともいう）が知られている（例えば特許文献１）。フィールドシーケンシャル方式を用いることにより、例えば液晶表示装置にカラーフィルターを設ける必要がないため、光の透過率を高くすることができる。
【０００６】
また、左眼用画像及び右眼用画像のそれぞれを複数のフレーム期間において連続して表示させる方式が知られている（例えば特許文献２）。上記方式を用いることにより、シャッターを備えたメガネにおける、左右の眼に対応するシャッターの切り替える間隔を長くすることができるため、フレーム周波数を高くした場合においてもクロストークを抑制することができる。
【先行技術文献】
【特許文献】
【０００７】
【特許文献１】特開２００３−２５９３９５号公報
【特許文献２】特開２００９−３１５２３号公報
【発明の概要】
【発明が解決しようとする課題】
【０００８】
フィールドシーケンシャル方式によって表示を行う液晶表示装置は、各画素に対する画像信号の入力頻度を向上させる必要がある。例えば、三次元画像を表示しない場合、Ｒ（赤）、Ｇ（緑）、Ｂ（青）の３色を光源（バックライト）としたフィールドシーケンシャル方式によって表示を行う液晶表示装置は、白色光を光源（バックライト）としたカラーフィルター方式によって表示を行う液晶表示装置と比較し、各画素に対する画像信号の入力頻度を少なくとも３倍にする必要がある。具体的に述べると、フレーム周波数が６０Ｈｚである場合、カラーフィルター方式によって表示を行う液晶表示装置では各画素に対する画像信号の入力を１秒間に６０回行う必要があるのに対し、Ｒ（赤）、Ｇ（緑）、Ｂ（青）の３色を光源（バックライト）としたフィールドシーケンシャル方式によって表示を行う液晶表示装置では各画素に対する画像信号の入力を１秒間に１８０回行う必要がある。
【０００９】
また、フィールドシーケンシャル方式によって三次元画像表示を行う場合は、左眼用画像及び右眼用画像を切り替えるために、上記３色に加えて、黒（Ｋ）を表示させる期間が必要となる。このため、フィールドシーケンシャル方式によって三次元画像表示を行う場合は、各画素に対する画像信号の入力を１秒間に４８０回行う必要がある。
【００１０】
このように、フィールドシーケンシャル方式によって表示を行う液晶表示装置では色情報が時間分割される。そのため、利用者の瞬きなど短時間の表示の遮りに起因して特定の表示情報が欠落することによって、当該利用者に視認される表示が本来の表示情報に基づく表示から変化してしまい（カラーブレイク、色割れともいう）、表示画像の画質が低下してしまう。
【００１１】
本発明の一態様は、画質の低下を抑制し、表示品位の良い表示装置を提供することを課題の一つとする。
【００１２】
本発明の一態様は、消費電力の少ない表示装置を提供することを課題の一つとする。
【００１３】
本発明の一態様は、解像度を低下させることなく、良好な立体表示を行うことのできる表示装置を提供することを課題の一つとする。
【課題を解決するための手段】
【００１４】
異なる色相の光を供給することができる複数のバックライトユニットを有するバックライトを用いて、画素部を特定の領域ごとや、バックライトユニットごとに画像信号の書き込みとバックライトの点灯を行う。よって、従来の画素部全体に画像信号を書き込んでからバックライトを点灯させる方法よりも、バックライト消灯期間を短くすることができ、明るく表示品位の良い表示装置を実現することができる。
【００１５】
本発明の一態様は、マトリクス状に配列された複数の画素を有する画素部を複数の領域に分割し、異なる色相の光を発するバックライトユニットの点灯を各領域ごとに制御し、一定期間ごとに複数の領域のバックライトユニットを同時に消灯して黒表示とする表示装置の駆動方法である。
【００１６】
また、黒表示ごとに、右眼用画像及び左眼用画像を切り替えて表示し、表示画像が左眼用画像のときに視認者の右眼への光の入射を遮断し、表示画像が右眼用画像のときに視認者の左眼への光の入射を遮断する。また、バックライトユニットを消灯する黒表示時に、画素に画像信号を書き込むことで、表示品位を向上させることができる。
【００１７】
本発明の一態様は、第１の領域と、第１の領域に隣接する第２の領域と、第２の領域に隣接する第３の領域を有する画素部を有し、第１の領域乃至第３の領域は、マトリクス状に配列された複数の画素と、複数の画素に重畳して配置された複数のバックライトユニットと、を有し、第１のサブフレーム期間と、第２のサブフレーム期間と、第３のサブフレーム期間と、第４のサブフレーム期間と、第１の色相表示期間と、第２の色相表示期間と、第３の色相表示期間と、黒表示期間を有する液晶表示装置の駆動方法であって、第１のサブフレーム期間に、第１の領域を第１の色相表示期間とし、第２の領域を第３の色相表示期間とし、第３の領域を第２の色相表示期間とし、第２のサブフレーム期間に、第１の領域を第２の色相表示期間とし、第２の領域を第１の色相表示期間とし、第３の領域を第３の色相表示期間とし、第３のサブフレーム期間に、第１の領域を第３の色相表示期間とし、第２の領域を第２の色相表示期間とし、第３の領域を第１の色相表示期間とし、第４のサブフレーム期間に、第１の領域乃至第３の領域を黒表示期間とする液晶表示装置の駆動方法である。
【００１８】
本発明の一態様は、第１の領域と、第１の領域に隣接する第２の領域と、第２の領域に隣接する第３の領域を有する画素部を有し、第１の領域乃至第３の領域は、マトリクス状に配列された複数の画素を有し、複数の画素に重畳し、第１の色相の光と、第２の色相の光と、第３の色相の光を供給する複数のバックライトユニットを有し、右眼用画像表示を行う右眼用画像表示期間と、左眼用画像表示を行う左眼用画像表示期間と、を有する液晶表示装置の駆動方法であって、右眼用画像表示期間及び左眼用画像表示期間は、第１のサブフレーム期間と、第２のサブフレーム期間と、第３のサブフレーム期間と、第４のサブフレーム期間と、を有し、第１のサブフレーム期間に、第１の領域が有する画素に第１の色相信号を供給した後、バックライトユニットから第１の色相の光を供給し、第２の領域が有する画素に第３の色相信号を供給した後、バックライトユニットから第３の色相の光を供給し、第３の領域が有する画素に第２の色相信号を供給した後、バックライトユニットから第２の色相の光を供給し、第２のサブフレーム期間に、第１の領域が有する画素に第２の色相信号を供給した後、バックライトユニットから第２の色相の光を供給し、第２の領域が有する画素に第１の色相信号を供給した後、バックライトユニットから第１の色相の光を供給し、第３の領域が有する画素に第３の色相信号を供給した後、バックライトユニットから第３の色相の光を供給し、第３のサブフレーム期間に、第１の領域が有する画素に第３の色相信号を供給した後、バックライトユニットから第３の色相の光を供給し、第２の領域が有する画素に第２の色相信号を供給した後、バックライトユニットから第２の色相の光を供給し、第３の領域が有する画素に第１の色相信号を供給した後、バックライトユニットから第１の色相の光を供給し、第４のサブフレーム期間に、第１の領域乃至第３の領域のバックライトユニットを消灯とする表示装置の駆動方法である。
【００１９】
また、第１のサブフレーム期間に、第１の領域が有する第２の領域に隣接する画素に、第４のサブフレーム期間に当該画素に保持される色相信号と同一の色相信号を保持させる。
【００２０】
また、第１のサブフレーム期間に、第２の領域が有する第３の領域に隣接する画素に、第４のサブフレーム期間に当該画素に保持される色相信号と同一の色相信号を保持させる。
【００２１】
また、第４のサブフレーム期間に、第２の領域が有する第１の領域に隣接する画素に、第１のサブフレーム期間に当該画素に保持される色相信号と同一の色相信号を保持させる。
【００２２】
また、第４のサブフレーム期間に、第３の領域が有する第２の領域に隣接する画素に、第１のサブフレーム期間に当該画素に保持される色相信号と同一の色相信号を保持させる。
【００２３】
また、右眼用画像表示と左眼用画像表示を交互に行うことで、視認者に、三次元の画像を視認させることができる。
【発明の効果】
【００２４】
表示品位の良い表示装置を提供することができる。
【００２５】
消費電力の少ない表示装置を提供することができる。
【００２６】
解像度を低下させることなく、良好な立体表示を行うことのできる表示装置を提供することができる。
【図面の簡単な説明】
【００２７】
【図１】液晶表示装置の構成例を示す図。
【図２】走査線駆動回路の構成例と動作例を示す図。
【図３】パルス出力回路の構成例と動作例を示す図。
【図４】走査線駆動回路の動作例を説明する図。
【図５】信号線駆動回路の構成例と画像信号を供給するタイミングの一例を説明する図。
【図６】バックライトの構成例を示す図。
【図７】液晶表示装置の動作例を説明する図。
【図８】液晶表示装置の動作例を説明する図。
【図９】液晶表示装置の動作例を説明する図。
【図１０】液晶表示装置の動作例を説明する図。
【図１１】液晶表示装置の動作例を説明する図。
【図１２】トランジスタの構成例を示す断面図。
【図１３】液晶表示装置のパネルの一例を説明する図。
【図１４】液晶表示装置の構成例を説明する図。
【図１５】電子機器の構成例を説明する図。
【発明を実施するための形態】
【００２８】
以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って本実施の形態の記載内容に限定して解釈されるものではない。なお、以下に説明する本発明の構成において、同じ物を指し示す符号は異なる図面間において共通とする。
【００２９】
なお、各実施の形態の図面等において示す各構成の、大きさ、層の厚さ、信号波形、又は領域は、明瞭化のために誇張されて表記している場合がある。よって、必ずしもそのスケールに限定されない。
【００３０】
なお、本明細書にて用いる第１、第２、第３、乃至第Ｎ（Ｎは自然数）という用語は、構成要素の混同を避けるために付したものであり、数的に限定するものではないことを付記する。なお自然数は、特に断りのない限り、１以上として説明する。
【００３１】
トランジスタは半導体素子の一種であり、電流や電圧の増幅や、導通または非導通を制御するスイッチング動作などを実現することができる。本明細書におけるトランジスタは、ＩＧＦＥＴ（Ｉｎｓｕｌａｔｅｄ  Ｇａｔｅ  Ｆｉｅｌｄ  Ｅｆｆｅｃｔ  Ｔｒａｎｓｉｓｔｏｒ）や薄膜トランジスタ（ＴＦＴ：Ｔｈｉｎ  Ｆｉｌｍ  Ｔｒａｎｓｉｓｔｏｒ）を含む。
【００３２】
また、トランジスタの「ソース」や「ドレイン」の機能は、異なる極性のトランジスタを採用する場合や、回路動作において電流の方向が変化する場合などには入れ替わることがある。このため、本明細書においては、「ソース」や「ドレイン」の用語は、入れ替えて用いることができるものとする。
【００３３】
（実施の形態１）
本実施の形態では、本発明の一態様の液晶表示装置について図１乃至図１１を参照して説明する。
【００３４】
＜液晶表示装置の構成例＞
図１（Ａ）は、液晶表示装置１００の構成例を示す図である。図１（Ａ）に示す液晶表示装置１００は、画素部１０と、走査線駆動回路１１と、信号線駆動回路１２と、各々が平行又は略平行に配設され、且つ走査線駆動回路１１によって電位が制御されるｍ本の走査線１３と、各々が平行又は略平行に配設され、且つ信号線駆動回路１２によって電位が制御される、ｎ本の信号線１４と、を有する。さらに、画素部１０は、３つの領域（領域１０１乃至領域１０３）に分割され、領域毎にマトリクス状に配設された複数の画素１５を有する。
【００３５】
なお、各走査線１３は、画素部１０においてｍ行ｎ列（ｍは１２以上の自然数、ｎは自然数）に配設された複数の画素のうち、いずれかの行に配設されたｎ個の画素に電気的に接続される。また、各信号線１４は、ｍ行ｎ列に配設された複数の画素のうち、いずれかの列に配設されたｍ個の画素に電気的に接続される。
【００３６】
そして、ｍ本の走査線１３は、画素部１０が有する領域の数に合わせて、複数のグループに分割されている。例えば、図１（Ａ）の場合、画素部１０が３つの領域に分割されているので、ｍ本の走査線１３も３つのグループに分割されている。そして、各グループに属する走査線１３は、当該グループに対応する領域が有する複数の画素１５に電気的に接続されている。具体的に、各走査線１３は、各領域においてマトリクス状に配設された複数の画素１５のうち、いずれかの行に配設されたｎ個の画素１５に電気的に接続される。
【００３７】
また、ｎ本の信号線１４は、上記領域に係わらず、画素部１０においてｍ行ｎ列に配設された複数の画素１５のうち、いずれかの列に配設されたｍ個の画素１５に電気的に接続される。
【００３８】
図１（Ｂ）は、図１（Ａ）に示す画素部１０が有する画素１５の回路構成の一例を示す図である。図１（Ｂ）に示す画素１５は、トランジスタ１６と、容量素子１７と、液晶素子１８と、を有する。
【００３９】
トランジスタ１６のゲートは走査線１３に電気的に接続され、ソース及びドレインの一方は信号線１４に電気的に接続されている。また、容量素子１７の一方の電極は、トランジスタ１６のソース及びドレインの他方と電気的に接続され、容量素子１７の他方の電極は、容量電位を供給する配線（容量配線ともいう）に電気的に接続されている。また、液晶素子１８の一方の電極（画素電極ともいう）は、トランジスタ１６のソース及びドレインの他方及び容量素子１７の一方の電極に電気的に接続され、液晶素子１８の他方の電極（対向電極ともいう）は、対向電位を供給する配線に電気的に接続されている。
【００４０】
なお、本実施の形態では、トランジスタ１６は、ｎチャネル型のトランジスタとしているが、ｐチャネル型のトランジスタを用いてもよい。また、容量電位と対向電位を同一の電位とすることが可能である。
【００４１】
＜走査線駆動回路の構成例＞
図２（Ａ）は、図１（Ａ）に示す液晶表示装置１００が有する走査線駆動回路１１の構成例を示す図である。図２（Ａ）に示す走査線駆動回路１１は、第１の走査線駆動回路用クロック信号（ＧＣＫ１）を供給する配線乃至第４の走査線駆動回路用クロック信号（ＧＣＫ４）を供給する配線と、第１のパルス幅制御信号（ＰＷＣ１）を供給する配線乃至第６のパルス幅制御信号（ＰＷＣ６）を供給する配線と、１行目に配設された走査線１３に電気的に接続された第１のパルス出力回路２０＿１、乃至、ｍ行目に配設された走査線１３に電気的に接続された第ｍのパルス出力回路２０＿ｍと、を有する。
【００４２】
なお本実施の形態では、第１のパルス出力回路２０＿１乃至第ｋのパルス出力回路２０＿ｋ（ｋは、ｍ／３以下の自然数）が、領域１０１に配設された走査線１３＿１乃至走査線１３＿ｋに電気的に接続されることとする。また本実施の形態においてｋは、走査線駆動回路１１に供給されるクロック信号（ＧＣＫ１乃至ＧＣＫ４）の数の倍数、すなわち４の倍数とすることが好適である。
【００４３】
また、第ｋ＋１のパルス出力回路２０＿ｋ＋１乃至第２ｋのパルス出力回路２０＿２ｋが、領域１０２に配設された走査線１３＿ｋ＋１乃至走査線１３＿２ｋに電気的に接続されることとする。また、第２ｋ＋１のパルス出力回路２０＿２ｋ＋１乃至第ｍのパルス出力回路２０＿ｍが領域１０３に配設された走査線１３＿２ｋ＋１乃至走査線１３＿ｍに電気的に接続されることとする。
【００４４】
第１のパルス出力回路２０＿１乃至第ｍのパルス出力回路２０＿ｍは、第１のパルス出力回路２０＿１に入力される走査線駆動回路用スタートパルス（ＧＳＰ）をきっかけとしてシフト期間毎にシフトパルスを順次シフトする機能を有する。さらに、第１のパルス出力回路２０＿１乃至第ｍのパルス出力回路２０＿ｍにおいて複数のシフトパルスのシフトを並行して行うことが可能である。すなわち、第１のパルス出力回路２０＿１乃至第ｍのパルス出力回路２０＿ｍにおいてシフトパルスのシフトが行われている期間内であっても、第１のパルス出力回路２０＿１に走査線駆動回路用スタートパルス（ＧＳＰ）を入力することが可能である。
【００４５】
図２（Ｂ）は、上記信号の具体的な動作の一例を示す図である。図２（Ｂ）に示す第１の走査線駆動回路用クロック信号（ＧＣＫ１）は、周期的にハイレベルの電位（高電源電位（Ｖｄｄ））とロウレベルの電位（低電源電位（Ｖｓｓ））を繰り返す、デューティー比が１／４の信号である。また、第２の走査線駆動回路用クロック信号（ＧＣＫ２）は、第１の走査線駆動回路用クロック信号（ＧＣＫ１）から１／４周期分位相がずれた信号である。また、第３の走査線駆動回路用クロック信号（ＧＣＫ３）は、第１の走査線駆動回路用クロック信号（ＧＣＫ１）から１／２周期位相がずれた信号である。また、第４の走査線駆動回路用クロック信号（ＧＣＫ４）は、第１の走査線駆動回路用クロック信号（ＧＣＫ１）から３／４周期位相がずれた信号である。
【００４６】
図２（Ｂ）に示す第１のパルス幅制御信号（ＰＷＣ１）は、周期的にハイレベルの電位（高電源電位（Ｖｄｄ））とロウレベルの電位（低電源電位（Ｖｓｓ））を繰り返す、デューティー比が１／３の信号である。また、第２のパルス幅制御信号（ＰＷＣ２）は、第１のパルス幅制御信号（ＰＷＣ１）から１／６周期位相がずれた信号である。第３のパルス幅制御信号（ＰＷＣ３）は、第１のパルス幅制御信号（ＰＷＣ１）から１／３周期位相がずれた信号である。第４のパルス幅制御信号（ＰＷＣ４）は、第１のパルス幅制御信号（ＰＷＣ１）から１／２周期位相がずれた信号である。第５のパルス幅制御信号（ＰＷＣ５）は、第１のパルス幅制御信号（ＰＷＣ１）から２／３周期位相がずれた信号である。第６のパルス幅制御信号（ＰＷＣ６）は、第１のパルス幅制御信号（ＰＷＣ１）から５／６周期位相がずれた信号である。
【００４７】
なお、ここでは、第１の走査線駆動回路用クロック信号（ＧＣＫ１）乃至第４の走査線駆動回路用クロック信号（ＧＣＫ４）のパルス幅と第１のパルス幅制御信号（ＰＷＣ１）乃至第６のパルス幅制御信号（ＰＷＣ６）のパルス幅の比は、３：２とする。
【００４８】
上述した液晶表示装置１００においては、第１のパルス出力回路２０＿１乃至第ｍのパルス出力回路２０＿ｍとして、同一の構成を有する回路を適用することができる。ただし、パルス出力回路が有する複数の端子の電気的な接続関係は、パルス出力回路毎に異なる。具体的な接続関係について図２（Ａ）、（Ｃ）を参照して説明する。
【００４９】
第１のパルス出力回路２０＿１乃至第ｍのパルス出力回路２０＿ｍのそれぞれは、端子２１乃至端子２７を有する。なお、端子２１乃至端子２４及び端子２６は入力端子であり、端子２５及び端子２７は出力端子である。
【００５０】
まず、端子２１について述べる。第１のパルス出力回路２０＿１の端子２１は、走査線駆動回路用スタートパルス（ＧＳＰ）を供給する配線に電気的に接続され、第２のパルス出力回路２０＿２乃至第ｍのパルス出力回路２０＿ｍの端子２１は、前段のパルス出力回路の端子２７に電気的に接続される。
【００５１】
次いで、端子２２について述べる。第（４ａ−３）のパルス出力回路（ａは、ｍ／４以下の自然数）の端子２２は、第１の走査線駆動回路用クロック信号（ＧＣＫ１）を供給する配線に電気的に接続される。第（４ａ−２）のパルス出力回路の端子２２は、第２の走査線駆動回路用クロック信号（ＧＣＫ２）を供給する配線に電気的に接続される。第（４ａ−１）のパルス出力回路の端子２２は、第３の走査線駆動回路用クロック信号（ＧＣＫ３）を供給する配線に電気的に接続される。第４ａのパルス出力回路の端子２２は、第４の走査線駆動回路用クロック信号（ＧＣＫ４）を供給する配線に電気的に接続される。
【００５２】
次いで、端子２３について述べる。第（４ａ−３）のパルス出力回路の端子２３は、第２の走査線駆動回路用クロック信号（ＧＣＫ２）を供給する配線に電気的に接続される。第（４ａ−２）のパルス出力回路の端子２３は、第３の走査線駆動回路用クロック信号（ＧＣＫ３）を供給する配線に電気的に接続される。第（４ａ−１）のパルス出力回路の端子２３は、第４の走査線駆動回路用クロック信号（ＧＣＫ４）を供給する配線に電気的に接続される。第４ａのパルス出力回路の端子２３は、第１の走査線駆動回路用クロック信号（ＧＣＫ１）を供給する配線に電気的に接続される。
【００５３】
次いで、端子２４について述べる。第（２ｂ−１）のパルス出力回路（ｂは、ｋ／２以下の自然数）の端子２４は、第１のパルス幅制御信号（ＰＷＣ１）を供給する配線に電気的に接続される。第２ｂのパルス出力回路の端子２４は、第４のパルス幅制御信号（ＰＷＣ４）を供給する配線に電気的に接続される。第（２ｃ−１）のパルス出力回路（ｃは、（ｋ／２＋１）以上ｋ以下の自然数）の端子２４は、第２のパルス幅制御信号（ＰＷＣ２）を供給する配線に電気的に接続される。第２ｃのパルス出力回路の端子２４は、第５のパルス幅制御信号（ＰＷＣ５）を供給する配線に電気的に接続される。第（２ｄ−１）のパルス出力回路（ｄは、（ｋ＋１）以上ｍ／２以下の自然数）の端子２４は、第３のパルス幅制御信号（ＰＷＣ３）を供給する配線に電気的に接続される。第２ｄのパルス出力回路の端子２４は、第６のパルス幅制御信号（ＰＷＣ６）を供給する配線に電気的に接続される。
【００５４】
次いで、端子２５について述べる。第ｘのパルス出力回路（ｘは、ｍ以下の自然数）の端子２５は、ｘ行目に配設された走査線１３＿ｘに電気的に接続される。
【００５５】
次いで、端子２６について述べる。第ｙのパルス出力回路（ｙは、ｍ−１以下の自然数）の端子２６は、第（ｙ＋１）のパルス出力回路の端子２７に電気的に接続される。第ｍのパルス出力回路の端子２６は、第ｍのパルス出力回路用ストップ信号（ＳＴＰ）を供給する配線に電気的に接続される。
【００５６】
なお、第ｍのパルス出力回路用ストップ信号（ＳＴＰ）は、仮に第（ｍ＋１）のパルス出力回路が設けられていれば、当該第（ｍ＋１）のパルス出力回路の端子２７から出力される信号に相当する信号である。具体的には、これらの信号は、実際にダミー回路として第（ｍ＋１）のパルス出力回路を設けること、又は外部から当該信号を直接入力することなどによって第ｍのパルス出力回路に供給することができる。
【００５７】
各パルス出力回路の端子２７の接続関係は既出である。そのため、ここでは前述の説明を援用することとする。
【００５８】
＜パルス出力回路の構成例＞
図３（Ａ）は、図２（Ａ）、（Ｃ）に示すパルス出力回路の構成例を示す図である。図３（Ａ）に示すパルス出力回路は、トランジスタ３１乃至トランジスタ３９を有する。
【００５９】
トランジスタ３１は、ソース及びドレインの一方が高電源電位（Ｖｄｄ）を供給する配線（以下、高電源電位線ともいう）に電気的に接続され、ゲートが端子２１に電気的に接続される。
【００６０】
トランジスタ３２は、ソース及びドレインの一方が低電源電位（Ｖｓｓ）を供給する配線（以下、低電源電位線ともいう）に電気的に接続され、ソース及びドレインの他方がトランジスタ３１のソース及びドレインの他方に電気的に接続される。
【００６１】
トランジスタ３３は、ソース及びドレインの一方が端子２２に電気的に接続され、ソース及びドレインの他方が端子２７に電気的に接続され、ゲートがトランジスタ３１のソース及びドレインの他方並びにトランジスタ３２のソース及びドレインの他方に電気的に接続される。
【００６２】
トランジスタ３４は、ソース及びドレインの一方が低電源電位線に電気的に接続され、ソース及びドレインの他方が端子２７に電気的に接続され、ゲートがトランジスタ３２のゲートに電気的に接続される。
【００６３】
トランジスタ３５は、ソース及びドレインの一方が低電源電位線に電気的に接続され、ソース及びドレインの他方がトランジスタ３２のゲート及びトランジスタ３４のゲートに電気的に接続され、ゲートが端子２１に電気的に接続される。
【００６４】
トランジスタ３６は、ソース及びドレインの一方が高電源電位線に電気的に接続され、ソース及びドレインの他方がトランジスタ３２のゲート、トランジスタ３４のゲート、並びにトランジスタ３５のソース及びドレインの他方に電気的に接続され、ゲートが端子２６に電気的に接続される。
【００６５】
トランジスタ３７は、ソース及びドレインの一方が高電源電位線に電気的に接続され、ソース及びドレインの他方がトランジスタ３２のゲート、トランジスタ３４のゲート、トランジスタ３５のソース及びドレインの他方、並びにトランジスタ３６のソース及びドレインの他方に電気的に接続され、ゲートが端子２３に電気的に接続される。
【００６６】
トランジスタ３８は、ソース及びドレインの一方が端子２４に電気的に接続され、ソース及びドレインの他方が端子２５に電気的に接続され、ゲートがトランジスタ３１のソース及びドレインの他方、トランジスタ３２のソース及びドレインの他方、並びにトランジスタ３３のゲートに電気的に接続される。
【００６７】
トランジスタ３９は、ソース及びドレインの一方が低電源電位線に電気的に接続され、ソース及びドレインの他方が端子２５に電気的に接続され、ゲートがトランジスタ３２のゲート、トランジスタ３４のゲート、トランジスタ３５のソース及びドレインの他方、トランジスタ３６のソース及びドレインの他方、並びにトランジスタ３７のソース及びドレインの他方に電気的に接続される。
【００６８】
なお、以下においては、トランジスタ３１のソース及びドレインの他方、トランジスタ３２のソース及びドレインの他方、トランジスタ３３のゲート、並びにトランジスタ３８のゲートが電気的に接続するノードをノードＡとして説明する。また、トランジスタ３２のゲート、トランジスタ３４のゲート、トランジスタ３５のソース及びドレインの他方、トランジスタ３６のソース及びドレインの他方、トランジスタ３７のソース及びドレインの他方、並びにトランジスタ３９のゲートが電気的に接続するノードをノードＢとして説明する。
【００６９】
＜パルス出力回路の動作例＞
上述したパルス出力回路の動作例について図３（Ｂ）〜（Ｄ）を参照して説明する。なお、ここでは、第１のパルス出力回路２０＿１の端子２１に入力される走査線駆動回路用スタートパルス（ＧＳＰ）の入力タイミングを制御することで、第１のパルス出力回路２０＿１、第（ｋ＋１）のパルス出力回路２０＿ｋ＋１、及び第（２ｋ＋１）のパルス出力回路２０＿２ｋ＋１の端子２７から同一タイミングでシフトパルスを出力する場合の動作例について説明する。
【００７０】
具体的な例として、図３（Ｂ）は、走査線駆動回路用スタートパルス（ＧＳＰ）が入力される際の第１のパルス出力回路２０＿１の各端子に入力される信号の電位、並びにノードＡ及びノードＢの電位を示している。図３（Ｃ）は、第ｋのパルス出力回路２０＿ｋからハイレベルの電位が入力される際の第（ｋ＋１）のパルス出力回路２０＿ｋ＋１の各端子に入力される信号の電位、並びにノードＡ及びノードＢの電位を示している。図３（Ｄ）は、第２ｋのパルス出力回路２０＿２ｋからハイレベルの電位が入力される際の第（２ｋ＋１）のパルス出力回路２０＿２ｋ＋１の各端子に入力される信号の電位、並びにノードＡ及びノードＢの電位を示している。
【００７１】
なお、図３（Ｂ）〜（Ｄ）では、各端子に入力される信号を括弧書きで付記している。また、それぞれの後段に配設されるパルス出力回路（第２のパルス出力回路２０＿２、第（ｋ＋２）のパルス出力回路２０＿ｋ＋２、第（２ｋ＋２）のパルス出力回路２０＿２ｋ＋２）の端子２５から出力される信号（Ｇｏｕｔ２、Ｇｏｕｔｋ＋２、Ｇｏｕｔ２ｋ＋２）及び端子２７の出力信号（ＳＲｏｕｔ２＝第１のパルス出力回路２０＿１の端子２６の入力信号、ＳＲｏｕｔｋ＋２＝第（ｋ＋１）のパルス出力回路２０＿ｋ＋１の端子２６の入力信号、ＳＲｏｕｔ２ｋ＋２＝第（２ｋ＋１）のパルス出力回路２０＿２ｋ＋１の端子２６の入力信号）も付記している。なお、図中において、Ｇｏｕｔは、パルス出力回路の走査線に対する出力信号を表し、ＳＲｏｕｔは、当該パルス出力回路の、後段のパルス出力回路に対する出力信号を表している。
【００７２】
まず、図３（Ｂ）を参照して、第１のパルス出力回路２０＿１に走査線駆動回路用スタートパルス（ＧＳＰ）としてハイレベルの電位が入力される場合について説明する。
【００７３】
期間ｔ１において、端子２１にハイレベルの電位（高電源電位（Ｖｄｄ））が入力される。これにより、トランジスタ３１、３５がオン状態となる。そのため、ノードＡの電位がハイレベルの電位（高電源電位（Ｖｄｄ）からトランジスタ３１のしきい値電圧分下降した電位）に上昇し、且つノードＢの電位が低電源電位（Ｖｓｓ）に下降する。これに付随して、トランジスタ３３、３８がオン状態となり、トランジスタ３２、３４、３９がオフ状態となる。
【００７４】
以上により、期間ｔ１において、端子２７から出力される信号は、端子２２に入力される信号となり、端子２５から出力される信号は、端子２４に入力される信号となる。ここで、期間ｔ１において、端子２２及び端子２４に入力される信号は、共にロウレベルの電位（低電源電位（Ｖｓｓ））である。そのため、期間ｔ１において、第１のパルス出力回路２０＿１は、第２のパルス出力回路２０＿２の端子２１、及び画素部に配設された１行目の走査線にロウレベルの電位（低電源電位（Ｖｓｓ））を出力する。
【００７５】
期間ｔ２において、各端子に入力される信号は期間ｔ１から変化しない。そのため、端子２５及び端子２７から出力される信号も変化せず、共にロウレベルの電位（低電源電位（Ｖｓｓ））を出力する。
【００７６】
期間ｔ３において、端子２４にハイレベルの電位（高電源電位（Ｖｄｄ））が入力される。なお、ノードＡの電位（トランジスタ３１のソースの電位）は、期間ｔ１においてハイレベルの電位（高電源電位（Ｖｄｄ）からトランジスタ３１のしきい値電圧分下降した電位）まで上昇している。そのため、トランジスタ３１はオフ状態となっている。この時、端子２４にハイレベルの電位（高電源電位（Ｖｄｄ））が入力されることで、トランジスタ３８のソースとゲートの容量結合によって、ノードＡの電位（トランジスタ３８のゲートの電位）がさらに上昇する（ブートストラップ動作）。また、当該ブートストラップ動作を行うことによってノードＡの電位が上昇するため、端子２５から出力される信号が端子２４に入力されるハイレベルの電位（高電源電位（Ｖｄｄ））よりも下降することがない。そのため、期間ｔ３において、第１のパルス出力回路２０＿１は、画素部に配設された１行目の走査線にハイレベルの電位（高電源電位（Ｖｄｄ）＝選択信号）を出力する。
【００７７】
期間ｔ４において、端子２２にハイレベルの電位（高電源電位（Ｖｄｄ））が入力される。ここで、ノードＡの電位は、ブートストラップ動作によって上昇しているため、端子２７から出力される信号が端子２２に入力されるハイレベルの電位（高電源電位（Ｖｄｄ））から下降することがない。そのため、期間ｔ４において、端子２７からは、端子２２に入力されるハイレベルの電位（高電源電位（Ｖｄｄ））が出力される。すなわち、第１のパルス出力回路２０＿１は、第２のパルス出力回路２０＿２の端子２１にハイレベルの電位（高電源電位（Ｖｄｄ）＝シフトパルス）を出力する。また、期間ｔ４において、端子２４に入力される信号はハイレベルの電位（高電源電位（Ｖｄｄ））を維持するため、第１のパルス出力回路２０＿１から画素部に配設された１行目の走査線に対して出力される信号は、ハイレベルの電位（高電源電位（Ｖｄｄ）＝選択信号）のままである。なお、期間ｔ４における当該パルス出力回路の出力信号には直接関与しないが、端子２１にロウレベルの電位（低電源電位（Ｖｓｓ））が入力されるためトランジスタ３５はオフ状態となる。
【００７８】
期間ｔ５において、端子２４にロウレベルの電位（低電源電位（Ｖｓｓ））が入力される。ここで、トランジスタ３８はオン状態を維持する。そのため、期間ｔ５において、第１のパルス出力回路２０＿１から画素部に配設された１行目の走査線に対して出力される信号は、ロウレベルの電位（低電源電位（Ｖｓｓ））となる。
【００７９】
期間ｔ６において、各端子に入力される信号は期間ｔ５から変化しない。そのため、端子２５及び端子２７から出力される信号も変化せず、端子２５からはロウレベルの電位（低電源電位（Ｖｓｓ））が出力され、端子２７からはハイレベルの電位（高電源電位（Ｖｄｄ）＝シフトパルス）が出力される。
【００８０】
期間ｔ７において、端子２３にハイレベルの電位（高電源電位（Ｖｄｄ））が入力される。これにより、トランジスタ３７がオン状態となる。そのため、ノードＢの電位がハイレベルの電位（高電源電位（Ｖｄｄ）からトランジスタ３７のしきい値電圧分下降した電位）に上昇する。つまり、トランジスタ３２、３４、３９がオン状態となる。また、これに付随して、ノードＡの電位がロウレベルの電位（低電源電位（Ｖｓｓ））へと下降する。つまり、トランジスタ３３、３８がオフ状態となる。以上により、期間ｔ７において、端子２５及び端子２７から出力される信号は、共に低電源電位（Ｖｓｓ）となる。すなわち、期間ｔ７において、第１のパルス出力回路２０＿１は、第２のパルス出力回路２０＿２の端子２１、及び画素部に配設された１行目の走査線に低電源電位（Ｖｓｓ）を出力する。
【００８１】
次いで、図３（Ｃ）を参照して、第（ｋ＋１）のパルス出力回路２０＿ｋ＋１の端子２１に第ｋのパルス出力回路２０＿ｋからシフトパルスとしてハイレベルの電位が入力される場合について説明する。
【００８２】
期間ｔ１及び期間ｔ２において、第（ｋ＋１）のパルス出力回路２０＿ｋ＋１の動作は、上述した第１のパルス出力回路２０＿１と同様である。そのため、ここでは前述の説明を援用することとする。
【００８３】
期間ｔ３において、各端子に入力される信号は期間ｔ２から変化しない。そのため、端子２５及び端子２７から出力される信号も変化せず、共にロウレベルの電位（低電源電位（Ｖｓｓ））を出力する。
【００８４】
期間ｔ４において、端子２２及び端子２４にハイレベルの電位（高電源電位（Ｖｄｄ））が入力される。なお、ノードＡの電位（トランジスタ３１のソースの電位）は、期間ｔ１においてハイレベルの電位（高電源電位（Ｖｄｄ）からトランジスタ３１のしきい値電圧分下降した電位）まで上昇している。そのため、トランジスタ３１は、期間ｔ１においてオフ状態となっている。ここで、端子２２及び端子２４にハイレベルの電位（高電源電位（Ｖｄｄ））が入力されることで、トランジスタ３３のソースとゲート及びトランジスタ３８のソースとゲートの容量結合によって、ノードＡの電位（トランジスタ３３、３８のゲートの電位）がさらに上昇する（ブートストラップ動作）。また、当該ブートストラップ動作を行うことによって、端子２５及び端子２７から出力される信号が端子２２及び端子２４に入力されるハイレベルの電位（高電源電位（Ｖｄｄ））から下降することがない。そのため、期間ｔ４において、第（ｋ＋１）のパルス出力回路２０＿ｋ＋１は、画素部に配設された（ｋ＋１）行目の走査線及び第（ｋ＋２）のパルス出力回路２０＿ｋ＋２の端子２１にハイレベルの電位（高電源電位（Ｖｄｄ）＝選択信号、シフトパルス）を出力する。
【００８５】
期間ｔ５において、各端子に入力される信号は期間ｔ４から変化しない。そのため、端子２５及び端子２７から出力される信号も変化せず、ハイレベルの電位（高電源電位（Ｖｄｄ）＝選択信号、シフトパルス）を出力する。
【００８６】
期間ｔ６において、端子２４にロウレベルの電位（低電源電位（Ｖｓｓ））が入力される。ここで、トランジスタ３８はオン状態を維持する。そのため、期間ｔ６において、第（ｋ＋１）のパルス出力回路２０＿ｋ＋１から画素部に配設された（ｋ＋１）行目の走査線に対して出力される信号は、ロウレベルの電位（低電源電位（Ｖｓｓ））となる。
【００８７】
期間ｔ７において、端子２３にハイレベルの電位（高電源電位（Ｖｄｄ））が入力される。これにより、トランジスタ３７がオン状態となる。そのため、ノードＢの電位がハイレベルの電位（高電源電位（Ｖｄｄ）からトランジスタ３７のしきい値電圧分下降した電位）に上昇する。つまり、トランジスタ３２、３４、３９がオン状態となる。また、これに付随して、ノードＡの電位がロウレベルの電位（低電源電位（Ｖｓｓ））へと下降する。つまり、トランジスタ３３、３８がオフ状態となる。以上により、期間ｔ７において、端子２５及び端子２７から出力される信号は、共に低電源電位（Ｖｓｓ）となる。すなわち、期間ｔ７において、第（ｋ＋１）のパルス出力回路２０＿ｋ＋１は、第（ｋ＋２）のパルス出力回路２０＿２の端子２１、及び画素部に配設されたｋ＋１行目の走査線に低電源電位（Ｖｓｓ）を出力する。
【００８８】
次いで、図３（Ｄ）を参照して、第（２ｋ＋１）のパルス出力回路２０＿２ｋ＋１の端子２１に第２ｋのパルス出力回路２０＿２ｋからシフトパルスとしてハイレベルの電位が入力される場合について説明する。
【００８９】
期間ｔ１乃至期間ｔ３において、第（２ｋ＋１）のパルス出力回路２０＿２ｋ＋１の動作は、上述した第（ｋ＋１）のパルス出力回路２０＿ｋ＋１と同様である。そのため、ここでは前述の説明を援用することとする。
【００９０】
期間ｔ４において、端子２２にハイレベルの電位（高電源電位（Ｖｄｄ））が入力される。なお、ノードＡの電位（トランジスタ３１のソースの電位）は、期間ｔ１においてハイレベルの電位（高電源電位（Ｖｄｄ）からトランジスタ３１のしきい値電圧分下降した電位）まで上昇している。そのため、トランジスタ３１は、期間ｔ１においてオフ状態となっている。ここで、端子２２にハイレベルの電位（高電源電位（Ｖｄｄ））が入力されることで、トランジスタ３３のソースとゲートの容量結合によって、ノードＡの電位（トランジスタ３３のゲートの電位）がさらに上昇する（ブートストラップ動作）。また、当該ブートストラップ動作を行うことによって、端子２７から出力される信号が端子２２に入力されるハイレベルの電位（高電源電位（Ｖｄｄ））から下降することがない。そのため、期間ｔ４において、第（２ｋ＋１）のパルス出力回路２０＿ｋ＋１は、第（２ｋ＋２）のパルス出力回路２０＿ｋ＋２の端子２１にハイレベルの電位（高電源電位（Ｖｄｄ）＝シフトパルス）を出力する。なお、期間ｔ４における当該パルス出力回路の出力信号には直接関与しないが、端子２１にロウレベルの電位（低電源電位（Ｖｓｓ））が入力されるためトランジスタ３５はオフ状態となる。
【００９１】
期間ｔ５において、端子２４にハイレベルの電位（高電源電位（Ｖｄｄ））が入力される。ここで、ノードＡの電位は、ブートストラップ動作によって上昇しているため、端子２５から出力される信号が端子２４に入力されるハイレベルの電位（高電源電位（Ｖｄｄ））から下降することがない。そのため、期間ｔ５において、端子２５からは、端子２２に入力されるハイレベルの電位（高電源電位（Ｖｄｄ））が出力される。すなわち、第（２ｋ＋１）のパルス出力回路２０＿２ｋ＋１は、画素部に配設された２ｋ＋１行目の走査線にハイレベルの電位（高電源電位（Ｖｄｄ）＝選択信号）を出力する。また、期間ｔ５において、端子２２に入力される信号はハイレベルの電位（高電源電位（Ｖｄｄ））を維持するため、第（２ｋ＋１）のパルス出力回路２０＿２ｋ＋１から第（２ｋ＋２）のパルス出力回路２０＿２ｋ＋２の端子２１に対して出力される信号は、ハイレベルの電位（高電源電位（Ｖｄｄ）＝シフトパルス）のままである。
【００９２】
期間ｔ６において、各端子に入力される信号は期間ｔ５から変化しない。そのため、端子２５及び端子２７から出力される信号も変化せず、共にハイレベルの電位（高電源電位（Ｖｄｄ）＝選択信号、シフトパルス）を出力する。
【００９３】
期間ｔ７において、端子２３にハイレベルの電位（高電源電位（Ｖｄｄ））が入力される。これにより、トランジスタ３７がオン状態となる。そのため、ノードＢの電位がハイレベルの電位（高電源電位（Ｖｄｄ）からトランジスタ３７のしきい値電圧分下降した電位）に上昇する。つまり、トランジスタ３２、３４、３９がオン状態となる。また、これに付随して、ノードＡの電位がロウレベルの電位（低電源電位（Ｖｓｓ））へと下降する。つまり、トランジスタ３３、３８がオフ状態となる。以上により、期間ｔ７において、端子２５及び端子２７から出力される信号は、共に低電源電位（Ｖｓｓ）となる。すなわち、期間ｔ７において、第（ｋ＋１）のパルス出力回路２０＿ｋ＋１は、第（ｋ＋２）のパルス出力回路２０＿ｋ＋２の端子２１、及び画素部に配設されたｋ＋１行目の走査線に低電源電位（Ｖｓｓ）を出力する。
【００９４】
図３（Ｂ）〜（Ｄ）に示すように、第１のパルス出力回路２０＿１乃至第ｍのパルス出力回路２０＿ｍでは、走査線駆動回路用スタートパルス（ＧＳＰ）の入力タイミングを制御することで、複数のシフトパルスのシフトを並行して行うことが可能である。具体的には、走査線駆動回路用スタートパルス（ＧＳＰ）の入力後、第ｋのパルス出力回路２０＿ｋの端子２７からシフトパルスが出力されるタイミングと同じタイミングで再度走査線駆動回路用スタートパルス（ＧＳＰ）を入力することによって、第１のパルス出力回路２０＿１及び第（ｋ＋１）のパルス出力回路２０＿ｋ＋１から同じタイミングでシフトパルスを出力させることが可能である。また、同様に走査線駆動回路用スタートパルス（ＧＳＰ）を入力することによって、第１のパルス出力回路２０＿１、第（ｋ＋１）のパルス出力回路２０＿ｋ＋１、及び第（２ｋ＋１）のパルス出力回路２０＿２ｋ＋１から同じタイミングでシフトパルスを出力させることが可能である。
【００９５】
加えて、第１のパルス出力回路２０＿１、第（ｋ＋１）のパルス出力回路２０＿ｋ＋１、及び第（２ｋ＋１）のパルス出力回路２０＿２ｋ＋１は、上記の動作に並行して、それぞれ異なるタイミングで走査線に対する選択信号の供給を行うことが可能である。すなわち、上述した走査線駆動回路は、固有のシフト期間を有するシフトパルスを複数シフトし且つ同一タイミングにおいてシフトパルスが入力された複数のパルス出力回路がそれぞれ異なるタイミングで走査線に対して選択信号を供給することが可能である。
【００９６】
＜走査線駆動回路の動作例＞
次いで、走査線駆動回路の動作について説明する。
【００９７】
図４に、走査線駆動回路１１の動作を説明するタイミングチャートの一例を示す。図４では、１フレーム期間内に、サブフレーム期間ＳＦ１、サブフレーム期間ＳＦ２、サブフレーム期間ＳＦ３が、設けられている場合を例示している。そして、１つのサブフレーム期間の代表例として、サブフレーム期間ＳＦ１のタイミングチャートを示している。
【００９８】
図４では、走査線１３＿１乃至走査線１３＿ｋは、領域１０１の画素に電気的に接続され、走査線１３＿ｋ＋１乃至走査線１３＿２ｋは、領域１０２の画素に電気的に接続され、走査線１３＿２ｋ＋１乃至走査線１３＿ｍは、領域１０３の画素に電気的に接続されている場合のタイミングチャートを例示する。
【００９９】
各サブフレーム期間ＳＦは、走査線駆動回路用スタートパルス信号（ＧＳＰ）のパルスが有する電位の立ち下がりに従って開始する。走査線駆動回路用スタートパルス信号（ＧＳＰ）のパルス幅は、第１の走査線駆動回路用クロック信号（ＧＣＫ１）乃至第４の走査線駆動回路用クロック信号（ＧＣＫ４）と同程度である。そして、走査線駆動回路用スタートパルス信号（ＧＳＰ）のパルスが有する電位の立ち下がりと、第１の走査線駆動回路用クロック信号（ＧＣＫ１）のパルスが有する電位の立ち上がりが、同期している。また、走査線駆動回路用スタートパルス信号（ＧＳＰ）のパルスが有する電位の立ち下がりは、第１のパルス幅制御信号（ＰＷＣ１）のパルスが有する電位の立ち上がりから、第１のパルス幅制御信号（ＰＷＣ１）の１／６周期分遅れたタイミングで出現する。
【０１００】
そして、上記信号により、図３（Ａ）に示したパルス出力回路は、図３（Ｂ）に示したタイミングチャートに従って動作する。よって、図４に示すように、領域１０１に対応する走査線１３＿１乃至走査線１３＿ｋには、パルスの順次シフトした選択信号が与えられる。なおかつ、走査線１３＿１乃至走査線１３＿ｋに与えられる選択信号のパルスは、パルス幅の２分の３に相当する期間、位相が遅れるようにシフトしている。なお、走査線１３＿１乃至走査線１３＿ｋに与えられる選択信号のパルス幅は、第１のパルス幅制御信号（ＰＷＣ１）乃至第６のパルス幅制御信号（ＰＷＣ６）のパルス幅と同程度である。
【０１０１】
また、領域１０１の場合と同様に、領域１０２に対応する走査線１３＿ｋ＋１乃至走査線１３＿２ｋには、パルスの順次シフトした選択信号が与えられる。なおかつ、走査線１３＿ｋ＋１乃至走査線１３＿２ｋに与えられる選択信号のパルスは、パルス幅の２分の３に相当する期間、位相が遅れるようにシフトしている。なお、走査線１３＿ｋ＋１乃至走査線１３＿２ｋに与えられる選択信号のパルス幅は、第１のパルス幅制御信号（ＰＷＣ１）乃至第６のパルス幅制御信号（ＰＷＣ６）のパルス幅と同程度である。
【０１０２】
また、領域１０１の場合と同様に、領域１０３に対応する走査線１３＿２ｋ＋１乃至走査線１３＿ｍには、パルスの順次シフトした選択信号が与えられる。なおかつ、走査線１３＿２ｋ＋１乃至走査線１３＿ｍに与えられる選択信号のパルスは、パルス幅の２分の３に相当する期間、位相が遅れるようにシフトしている。なお、走査線１３＿２ｋ＋１乃至走査線１３＿ｍに与えられる選択信号のパルス幅は、第１のパルス幅制御信号（ＰＷＣ１）乃至第６のパルス幅制御信号（ＰＷＣ６）のパルス幅と同程度である。
【０１０３】
そして、走査線１３＿１、走査線１３＿ｋ＋１、走査線１３＿２ｋ＋１に与えられる選択信号のパルスは、パルス幅の２分の１に相当する期間、位相が遅れるように順次シフトしている。
【０１０４】
＜信号線駆動回路の構成例＞
図５（Ａ）は、図１（Ａ）に示す液晶表示装置１００が有する信号線駆動回路１２の構成例を示す図である。図５（Ａ）に示す信号線駆動回路１２は、第１の出力端子乃至第ｎの出力端子を有するシフトレジスタ１２０と、画像信号（ＤＡＴＡ）を供給する配線と、ソース及びドレインの一方が画像信号（ＤＡＴＡ）を供給する配線に電気的に接続され、ソース及びドレインの他方が画素部に配設された１列目の信号線１４＿１に電気的に接続され、ゲートがシフトレジスタ１２０の第１の出力端子に電気的に接続されたトランジスタ１２１＿１、乃至、ソース及びドレインの一方が画像信号（ＤＡＴＡ）を供給する配線に電気的に接続され、ソース及びドレインの他方が画素部に配設されたｎ列目の信号線１４＿ｎに電気的に接続され、ゲートがシフトレジスタ１２０の第ｎの出力端子に電気的に接続されたトランジスタ１２１＿ｎと、を有する。
【０１０５】
なお、シフトレジスタ１２０は、信号線駆動回路用スタートパルス（ＳＳＰ）をきっかけとしてシフト期間毎に順次第１の出力端子乃至第ｎの出力端子からハイレベルの電位を出力する機能を有する。すなわち、トランジスタ１２１＿１乃至トランジスタ１２１＿ｎは、シフト期間毎に順次オン状態となる。
【０１０６】
図５（Ｂ）は、画像信号（ＤＡＴＡ）を供給する配線が、画像信号を供給するタイミングの一例を示す図である。図５（Ｂ）に示すように、画像信号（ＤＡＴＡ）を供給する配線は、期間ｔ４において、１行目に配設された画素のための画像信号（ｄａｔａ  １）を供給し、期間ｔ５において、ｋ＋１行目に配設された画素のための画像信号（ｄａｔａ  ｋ＋１）を供給し、期間ｔ６において、２ｋ＋１行目に配設された画素のための画像信号（ｄａｔａ  ２ｋ＋１）を供給し、期間ｔ７において、２行目に配設された画素のための画像信号（ｄａｔａ  ２）を供給する。以下、同様に画像信号（ＤＡＴＡ）を供給する配線は、特定の行毎に配設された画素のための画像信号を順次供給する。一般化すれば、ｓ行目（ｓは、ｋ未満の自然数）に配設された画素のための画像信号、次いでｋ＋ｓ行目に配設された画素のための画像信号、次いで２ｋ＋ｓ行目に配設された画素のための画像信号、次いでｓ＋１行目に配設された画素のための画像信号、という順序で画像信号を供給するとも言える。
【０１０７】
上述した走査線駆動回路及び信号線駆動回路が当該動作を行うことにより、走査線駆動回路が有するパルス出力回路におけるシフト期間毎に画素部に配設された３行の画素に対する画像信号の入力を行うことが可能である。
【０１０８】
＜バックライトの構成例＞
図６（Ａ）は、図１（Ａ）に示す液晶表示装置１００の画素部１０後方に設けられるバックライトの構成例を示す図である。図６に示すバックライトは、赤色の波長帯域による発光（「Ｒ」ともいう）、緑色の波長帯域による発光（「Ｇ」ともいう）、青色の波長帯域による発光（「Ｂ」ともいう）、の３色を呈する光源を備えたバックライトユニット４０を複数有する。バックライトユニット４０としては、例えば、発光ダイオード（ＬＥＤ）を用いることができる。赤色発光ダイオード、緑色発光ダイオード、及び青色発光ダイオードを用いることで、３色を呈する光源を備えたバックライトユニット４０を構成することができる。
【０１０９】
なお、複数のバックライトユニット４０は、マトリクス状に配置されており、且つ特定の領域毎に点灯を制御することが可能である。ここでは、ｍ行ｎ列に配設された複数の画素１５に対するバックライトとして、バックライトユニット４０を、少なくとも走査線ｔ行毎（ｔはｋ／Ｎ（Ｎは自然数）を満たす自然数）に配置する。Ｎは、各領域毎のバックライトユニット４０の行数に相当する。また、バックライトユニット４０の点灯は独立に制御できることとする。
【０１１０】
さらに、バックライトユニット４０は、Ｒ、Ｇ、Ｂの３色を呈する光源のそれぞれの点灯も独立に制御できることとする。すなわち、バックライトユニット４０において、Ｒ、Ｇ、Ｂのいずれか一つの光源を点灯させることで画素部１０に対してＲ、Ｇ、Ｂのいずれかを呈する光を照射することが可能であることとする。
【０１１１】
一例として、本実施の形態ではＮを４とし、バックライトユニット４０が、各領域に４行ずつ配置され、１行のバックライトユニット４０が、ｔ行分の画素１５の光源として機能することとする。
【０１１２】
なお、本実施の形態では画素部１０を３つの領域に分けているが、ｍが３の倍数でない場合、各領域毎のバックライトユニット４０の行数が等しくならない場合がある。各領域毎のバックライトユニット４０の行数は、必ずしも等しくする必要はないため、各領域毎のバックライトユニット４０の行数は、画素１５の行数に応じて適宜設定すればよい。
【０１１３】
画素１５を介して観察されるバックライトユニット４０の発光強度（輝度）は、当該画素１５の直下に配置されているバックライトユニット４０の発光強度により決定される。しかしながら、実際には隣接するバックライトユニット４０から拡散した光も加味されて観察される。
【０１１４】
このため、図６（Ａ）のように、画素部１０の領域とバックライトユニット４０が配置される領域が同じ場合は、全てのバックライトユニット４０を同一輝度で発光させ、全ての画素１５に同一の画像信号を供給しても、画素部１０の外周部に沿って配置される画素１５を介して観察される輝度は、それよりも内側に配置される画素１５を介して観察される輝度よりも弱く観察される。
【０１１５】
図６（Ｂ）は、バックライトユニット４０を画素部１０の端部を超えて、画素部１０よりも大きく配置する例を示している。バックライトユニット４０を画素部１０の外側にも配置することで、画素部１０の外周部に沿って配置される画素１５で観察される輝度を、それよりも内側に配置されている画素１５で観察される輝度と同等とすることができる。
【０１１６】
＜表示装置の動作例＞
次いで、液晶表示装置１００に三次元画像を表示させる動作の一例について図７乃至図１１を用いて説明する。図７は、三次元表示（立体表示）動作を模式的に示した図である。図７に示すように、本発明の一態様に係る表示装置は、１フレーム期間が、右眼用画像表示期間３１０と左眼用画像表示期間３２０により構成されている。
【０１１７】
右眼用画像表示期間３１０は、サブフレーム期間ＳＦ１Ｒ乃至サブフレーム期間ＳＦ４Ｒで構成される。また、右眼用画像表示期間３１０は、第１の色相表示期間３１１、第２の色相表示期間３１２、第３の色相表示期間３１３、黒表示期間３１４の４つの期間を有している。
【０１１８】
左眼用画像表示期間３２０は、サブフレーム期間ＳＦ１Ｌ乃至サブフレーム期間ＳＦ４Ｌで構成される。また、左眼用画像表示期間３２０は、第１の色相表示期間３２１、第２の色相表示期間３２２、第３の色相表示期間３２３、黒表示期間３２４の４つの期間を有している。
【０１１９】
第１の色相表示期間３１１及び第１の色相表示期間３２１では、画素１５に第１の色相信号が書き込まれ、その後バックライトユニット４０から第１の色相の光が供給される。また、第２の色相表示期間３１２及び第２の色相表示期間３２２では、画素１５に第２の色相信号が書き込まれ、その後バックライトユニット４０から第２の色相の光が供給される。また、第３の色相表示期間３１３及び第３の色相表示期間３２３では、画素１５に第３の色相信号が書き込まれ、その後バックライトユニット４０から第３の色相の光が供給される。また、黒表示期間３１４及び黒表示期間３２４では、バックライトユニット４０からの光の供給を停止（消灯）する。
【０１２０】
第１の色相表示期間３１１乃至第３の色相表示期間３１３、及び第１の色相表示期間３２１乃至第３の色相表示期間３２３では、各色相に対応した画像信号（色相信号）を画素部へ順に書き込んでいき、バックライトユニット４０により画素部に供給される光の色相が切り換わる。そして、１フレーム期間内に全ての色相に対応した画像信号を書き込むことで１画像が形成される。そのため、１フレーム期間における画素部への画像信号の書き込み回数は複数回であり、その数はバックライトから供給される光の色相の数により決まる。
【０１２１】
本実施の形態では、第１の色相を赤の色相とし、第２の色相を緑の色相とし、第３の色相を青の色相とする。すなわち、第１の色相表示期間３１１及び第１の色相表示期間３２１に赤の色相が表示され、第２の色相表示期間３１２及び第２の色相表示期間３２２に緑の色相が表示され、第３の色相表示期間３１３及び第３の色相表示期間３２３に青の色相が表示されるものとする。
【０１２２】
図８に示すように、左眼用シャッター７０３Ａと右眼用シャッター７０３Ｂとを有する眼鏡７０２を用いて画素部１０に表示される画像を観察することで、三次元の画像を観察することができる。
【０１２３】
右眼用画像表示期間３１０中は、眼鏡の右眼７２４に対応する右眼用シャッター７０３Ｂを開き（右眼用シャッター開期間３１８）、眼鏡の左眼７２３に対応する左眼用シャッター７０３Ａを閉じて（左眼用シャッター閉期間３１９）視認者の左眼７２３への光の入射を遮断する。左眼用画像表示期間３２０中は、眼鏡の左眼７２３に対応する左眼用シャッター７０３Ａを開き（左眼用シャッター開期間３２９）、眼鏡の右眼７２４に対応する右眼用シャッター７０３Ｂを閉じて（右眼用シャッター閉期間３２８）視認者の右眼７２４への光の入射を遮断する。このように、視認者の右眼７２４と左眼７２３に別の画像を視認させることで、画素部１０に表示される二次元の画像を、擬似的に三次元の画像として視認させることができる。
【０１２４】
また、左眼用シャッター７０３Ａと右眼用シャッター７０３Ｂの開閉は、図７に示す時刻ｔａ及び時刻ｔｇで行う。時刻ｔａ及び時刻ｔｇでは、画素部１０全体が黒表示となるため、シャッターの開閉時に右眼用画像と左眼用画像が誤って視認されることなく、表示品位の良い三次元画像を観察することができる。
【０１２５】
続いて、図９及び図１１を用いて、画素部１０を構成する領域１０１乃至領域１０３に、画像信号が書き込まれ、バックライトユニット４０から赤（Ｒ）の光、青（Ｂ）の光、緑（Ｇ）の光が供給される動作について、右眼用画像表示期間３１０を例として説明する。
【０１２６】
図９は、図７の右眼用画像表示期間３１０における領域１０１乃至領域１０３の動作を詳細に説明する図であり、サブフレーム期間ＳＦ１Ｒ乃至サブフレーム期間ＳＦ４Ｒにおける画像信号書き込み期間３３１と、バックライト点灯期間３３２の関係を示している。
【０１２７】
図１０（Ａ）は、図９における領域１０１と領域１０２の境界部分を拡大した図である。図１０（Ｂ）は、図９における領域１０２と領域１０３の境界部分を拡大した図である。
【０１２８】
図１１は、画素部１０を構成する領域１０１乃至領域１０３に、画像信号が書き込まれ、バックライトユニット４０から赤（Ｒ）の光、青（Ｂ）の光、緑（Ｇ）の光が供給される様子を示している。
【０１２９】
図１１（Ａ）乃至図１１（Ｇ）は、それぞれ図７及び図９に示す時刻ｔａ乃至時刻ｔｇにおける領域１０１乃至領域１０３の表示状況を示している。時刻ｔａでは、領域１０１乃至領域１０３のバックライトユニット４０が消灯され、画素部１０全体が黒（Ｋ）表示となっている（図１１（Ａ）参照）。
【０１３０】
時刻ｔａを過ぎると、領域１０１では、走査線１３＿１から走査線１３＿ｋまでが順番に選択され、選択された走査線１３に電気的に接続している画素１５にＲの画像信号が書き込まれる。画素１５に書き込まれた画像信号は、再び当該画素１５が選択されるまで保持される。この時、ｔ行分の書き込みが終了すると、書き込まれたｔ行に対応するバックライトユニット４０からＲの光が供給される。
【０１３１】
また、領域１０２では、走査線１３＿ｋ＋１から走査線１３＿２ｋまでが順番に選択され、選択された走査線１３に電気的に接続している画素１５にＢの画像信号が書き込まれる。画素１５に書き込まれた画像信号は、再び当該画素１５が選択されるまで保持される。この時、ｔ行分の書き込みが終了すると、書き込まれたｔ行に対応するバックライトユニット４０からＢの光が供給される。
【０１３２】
また、領域１０３では、走査線１３＿２ｋ＋１から走査線１３＿ｍまでが順番に選択され、選択された走査線１３に電気的に接続している画素１５にＧの画像信号が書き込まれる。画素１５に書き込まれた画像信号は、再び当該画素１５が選択されるまで保持される。この時、ｔ行分の書き込みが終了すると、書き込まれたｔ行に対応するバックライトユニット４０からＧの光が供給される。
【０１３３】
なお、特段の定めがない限り、本明細書において、「画素に画像信号を書き込む」または「画素の画像信号を書き換える」とは、画素に新たに画像信号が供給され、その後、再び画像信号が供給されるまで、画素に供給された画像信号が保持されているものとする。
【０１３４】
図１１（Ｂ）は、時刻ｔｂにおける領域１０１乃至領域１０３の表示状況を示している。時刻ｔｂでは、領域１０１乃至領域１０３が有する画素１５が、それぞれの領域の途中まで書き換えられている様子を示している。
【０１３５】
図１１（Ｃ）は、時刻ｔｃにおける領域１０１乃至領域１０３の表示状況を示している。時刻ｔｃでは、領域１０１が有する全ての画素１５にＲの画像信号が書き込まれ、バックライトユニット４０からＲの光が供給されている。また、領域１０２が有する全ての画素１５にＢの画像信号が書き込まれ、バックライトユニット４０からＢの光が供給されている。また、領域１０３が有する全ての画素１５にＧの画像信号が書き込まれ、バックライトユニット４０からＧの光が供給されている。
【０１３６】
時刻ｔｃを過ぎると、領域１０１では、走査線１３＿１から走査線１３＿ｔの走査線に対応するバックライトユニット４０が消灯され、その後、走査線１３＿１から走査線１３＿ｔまでが順番に選択され、選択された走査線１３に電気的に接続している画素にＧの画像信号が書き込まれる。そして、走査線１３＿ｔの書き込みが終了すると、走査線１３＿１から走査線１３＿ｔに対応するバックライトユニット４０からＧの光が供給される。
【０１３７】
また、領域１０２では、走査線１３＿ｋ＋１から走査線１３＿ｋ＋１＋ｔの走査線に対応するバックライトユニット４０が消灯され、その後、走査線１３＿ｋ＋１から走査線１３＿ｋ＋１＋ｔまでが順番に選択され、選択された走査線１３に電気的に接続している画素にＲの画像信号が書き込まれる。そして、走査線１３＿ｋ＋１＋ｔの書き込みが終了すると、走査線１３＿ｋ＋１から走査線１３＿ｋ＋１＋ｔに対応するバックライトユニット４０から赤（Ｒ）の光が供給される。
【０１３８】
また、領域１０３では、走査線１３＿２ｋ＋１から走査線１３＿２ｋ＋１＋ｔの走査線に対応するバックライトユニット４０が消灯され、その後、走査線１３＿２ｋ＋１から走査線１３＿２ｋ＋１＋ｔまでが順番に選択され、選択された走査線１３に電気的に接続している画素に、Ｂの画像信号が書き込まれる。そして、走査線１３＿２ｋ＋１＋ｔの書き込みが終了すると、走査線１３＿２ｋ＋１から走査線１３＿２ｋ＋１＋ｔに対応するバックライトユニット４０から青（Ｂ）の光が供給される。
【０１３９】
図１１（Ｄ）は、時刻ｔｄにおける領域１０１乃至領域１０３の表示状況を示している。時刻ｔｄでは、領域１０１乃至領域１０３が有する画素１５が、それぞれの領域の途中まで書き換えられている様子を示している。
【０１４０】
図１１（Ｅ）は、時刻ｔｅにおける領域１０１乃至領域１０３の表示状況を示している。時刻ｔｅでは、領域１０１が有する全ての画素１５にＢの画像信号が書き込まれ、バックライトユニット４０からＢの光が供給されている。また、領域１０２が有する全ての画素１５にＧの画像信号が書き込まれ、バックライトユニット４０からＧの光が供給されている。また、領域１０３が有する全ての画素１５にＲの画像信号が書き込まれ、バックライトユニット４０からＲの光が供給されている。
【０１４１】
時刻ｔｅを過ぎると、領域１０１では、走査線１３＿１から走査線１３＿ｔの走査線に対応するバックライトユニット４０が消灯され、その後、走査線１３＿１から走査線１３＿ｔまでが順番に選択され、選択された走査線１３に電気的に接続している画素にＫの画像信号が書き込まれる。
【０１４２】
また、領域１０２では、走査線１３＿ｋ＋１から走査線１３＿ｋ＋１＋ｔの走査線に対応するバックライトユニット４０が消灯され、その後、走査線１３＿ｋ＋１から走査線１３＿ｋ＋１＋ｔまでが順番に選択され、選択された走査線１３に電気的に接続している画素にＫの画像信号が書き込まれる。
【０１４３】
また、領域１０３では、走査線１３＿２ｋ＋１から走査線１３＿２ｋ＋１＋ｔの走査線に対応するバックライトユニット４０が消灯され、その後、走査線１３＿２ｋ＋１から走査線１３＿２ｋ＋１＋ｔまでが順番に選択され、選択された走査線１３に電気的に接続している画素に、Ｋの画像信号が書き込まれる。
【０１４４】
図１１（Ｆ）は、時刻ｔｆにおける領域１０１乃至領域１０３の表示状況を示している。時刻ｔｆでは、領域１０１乃至領域１０３が有する画素１５が、それぞれの領域の途中まで書き換えられている様子を示している。
【０１４５】
図１１（Ｇ）は、時刻ｔｇにおける領域１０１乃至領域１０３の表示状況を示している。時刻ｔｇでは、領域１０１乃至領域１０３の全てのバックライトユニット４０が消灯され、画素部１０全体がＫ表示となっている。
【０１４６】
このように、本実施の形態に示す表示装置は、画素部１０を複数の領域に分割し、バックライトユニット４０毎に画像を表示させることができる。従来のフィールドシーケンシャル方式では、画素部１０全体に画像信号が書き込まれてからバックライトを点灯させる必要があったが、本実施の形態に示す表示装置は、領域毎やバックライトユニット４０毎に画像信号の書き込みとバックライトの点灯を行うことができるため、バックライト消灯期間を短くすることができる。よって、明るく表示品位の良い表示装置を実現することができる。また、カラーブレイクによる表示画像の画質低下を軽減させることができる。また、消費電力の少ない表示装置を実現することができる。
【０１４７】
また、バックライトの構成例で説明した通り、画素１５で観察される輝度は、当該画素１５の直下に配置されているバックライトユニット４０の光と、隣接するバックライトユニット４０の拡散光の和により決定される。このため、黒表示となりバックライトユニット４０が消灯された行に隣接する画素１５の輝度は、隣接するバックライトユニット４０の拡散光が無くなる分、輝度が低下して観察される。
【０１４８】
このため、サブフレーム期間ＳＦ１Ｒにおいて、領域１０１の走査線１３＿３ｔ＋１乃至走査線１３＿ｋに電気的に接続する画素１５が黒表示となり、走査線１３＿３ｔ＋１乃至走査線１３＿ｋに対応するバックライトユニット４０が消灯された時に、領域１０２の走査線１３＿ｋ＋１に電気的に接続された画素１５の輝度が低下する。
【０１４９】
また、サブフレーム期間ＳＦ４Ｒにおいて、領域１０２の走査線１３＿ｋ＋１乃至走査線１３＿ｋ＋１＋ｔに電気的に接続する画素１５が黒表示となり、領域１０２の走査線１３＿ｋ＋１乃至走査線１３＿ｋ＋１＋ｔに対応するバックライトユニット４０が消灯された時に、領域１０１の走査線１３＿ｋに電気的に接続された画素１５の輝度が低下する。
【０１５０】
また、サブフレーム期間ＳＦ１Ｒにおいて、領域１０２の走査線１３＿ｋ＋１＋３ｔ＋１乃至走査線１３＿２ｋに電気的に接続する画素１５が黒表示となり、走査線１３＿ｋ＋１＋３ｔ＋１乃至走査線１３＿２ｋに対応するバックライトユニット４０が消灯された時に、領域１０３の走査線１３＿２ｋ＋１に電気的に接続された画素１５の輝度が低下する。
【０１５１】
また、サブフレーム期間ＳＦ４Ｒにおいて、領域１０３の走査線１３＿２ｋ＋１乃至走査線１３＿２ｋ＋１＋ｔに電気的に接続する画素１５が黒表示となり、領域１０３の走査線１３＿２ｋ＋１乃至走査線１３＿２ｋ＋１＋ｔに対応するバックライトユニット４０が消灯された時に、領域１０２の走査線１３＿２ｋに電気的に接続された画素１５の輝度が低下する。
【０１５２】
すなわち、領域１０１と領域１０２の境界部、及び領域１０２と領域１０３の境界部において、Ｒ、Ｇ、Ｂいずれかの輝度低下が生じるため、正確な色再現ができなくなり、表示品位が低下してしまう。
【０１５３】
そこで、サブフレーム期間ＳＦ１Ｒにおいて、領域１０１の走査線１３＿３ｔ＋１乃至走査線１３＿ｋに電気的に接続する画素１５を黒表示とする際に、直前のサブフレーム期間ＳＦ４Ｌにおいて、領域１０１の走査線１３＿３ｔ＋１乃至走査線１３＿ｋに対応するバックライトユニット４０を消灯とした後に、走査線１３＿ｋに電気的に接続する画素１５に、サブフレーム期間ＳＦ４Ｒに走査線１３＿ｋに電気的に接続する画素１５に青色表示を行うための画像信号３４１を書き込む。（図１０（Ａ）参照）。
【０１５４】
このようにすることで、サブフレーム期間ＳＦ１Ｒの黒表示期間に、走査線１３＿ｋに電気的に接続する画素１５に、青の色相を表示するためのサブフレーム期間ＳＦ４Ｒの画像情報が保持されることとなる。すると、隣接する領域１０２側のバックライトユニット４０の拡散光が、黒表示期間中の走査線１３＿ｋに電気的に接続する画素１５を介して観察される。
【０１５５】
視認者は、黒表示期間（サブフレーム期間ＳＦ１Ｒ）における走査線１３＿ｋに電気的に接続する画素１５の輝度上昇と、青表示期間（サブフレーム期間ＳＦ４Ｒ）における走査線１３＿ｋに電気的に接続する画素１５輝度低下を実質的に同時に観察することとなる。この時、走査線１３＿ｋに電気的に接続する画素１５に書き込まれている画像情報は、サブフレーム期間ＳＦ１Ｒとサブフレーム期間ＳＦ４Ｒで同一の画像情報であるため、前述した輝度上昇と輝度低下が相殺され、正確な色再現を行うことができる。
【０１５６】
また、本実施の形態では、境界部における輝度低下を１つの走査線１３に関してのみ生じるとして説明しているが、バックライトユニット４０の構造、配置方法、発光強度によっては、輝度低下が複数の走査線１３に渡って生じる可能性がある。このため、色相を表示するための画像情報を、黒表示期間中の複数の走査線１３に電気的に接続する画素１５に保持させてもよい。
【０１５７】
例えば、サブフレーム期間ＳＦ１Ｒに黒表示となる走査線１３＿３ｔ＋１乃至走査線１３＿ｋに電気的に接続する画素１５に、サブフレーム期間ＳＦ４Ｒに走査線１３＿３ｔ＋１乃至走査線１３＿ｋに電気的に接続する画素１５に青の色相を表示するための画像信号を保持させてもよい。なお、黒表示期間に走査線１３＿３ｔ＋１乃至走査線１３＿ｋに電気的に接続する画素１５に書き込む画像信号は、サブフレーム期間ＳＦ４Ｒに青の色相を表示するための画像信号が書き込まれる画素１５と、同一の画素に書き込む。
【０１５８】
また、サブフレーム期間ＳＦ４Ｒにおいて、領域１０２の走査線１３＿ｋ＋１乃至走査線１３＿ｋ＋１＋ｔの走査線に電気的に接続する画素１５を黒表示とする際に、走査線１３＿ｋ＋１に電気的に接続する画素１５に、サブフレーム期間ＳＦ１Ｒに走査線１３＿ｋ＋１に電気的に接続する画素１５に青色表示を行うための画像信号３４２を書き込む（図１０（Ａ）参照）。
【０１５９】
また、サブフレーム期間ＳＦ１Ｒにおいて、領域１０２の走査線１３＿ｋ＋１＋３ｔ＋１乃至走査線１３＿２ｋに電気的に接続する画素１５を黒表示とする際に、直前のサブフレーム期間ＳＦ４Ｌにおいて、走査線１３＿ｋ＋１＋３ｔ＋１乃至走査線１３＿２ｋに対応するバックライトユニット４０を消灯とした後に、走査線１３＿２ｋに電気的に接続する画素１５に、サブフレーム期間ＳＦ４Ｒに走査線１３＿２ｋに電気的に接続する画素１５に緑色表示を行うための画像信号３４３を書き込む。このようにすることで、サブフレーム期間ＳＦ１Ｒの黒表示期間中に、走査線１３＿２ｋに電気的に接続する画素１５に、緑の色相を表示するためのサブフレーム期間ＳＦ４Ｒの画像情報が保持されることとなる（図１０（Ｂ）参照）。
【０１６０】
また、サブフレーム期間ＳＦ４Ｒにおいて、領域１０３の走査線１３＿２ｋ＋１乃至走査線１３＿２ｋ＋１＋ｔの走査線に電気的に接続する画素１５を黒表示とする際に、走査線１３＿２ｋ＋１に電気的に接続する画素１５に、サブフレーム期間ＳＦ１Ｒに走査線１３＿２ｋ＋１に電気的に接続する画素１５に緑色表示を行うための画像信号３４４を書き込む（図１０（Ｂ）参照）。
【０１６１】
このように、黒表示期間中の画素１５に、画像情報を書き込むことで、色再現性が良く、表示品位の良い表示装置を実現することができる。
【０１６２】
また、本実施の形態に示す液晶表示装置１００は、カラーフィルターを用いないため、解像度を低下させることなく、良好な三次元表示を行うことが可能である。また、カラーフィルターを用いないため、カラーフィルターによるバックライト光の吸収が生じない。よって、明るく表示品位の良い液晶表示装置を実現することができる。また、消費電力の少ない液晶表示装置を実現することができる。
【０１６３】
なお、本実施の形態では、第１の色相表示期間３１１に赤を表示し、第２の色相表示期間３１２に緑を表示し、第３の色相表示期間３１３に青を表示する例を示したが、これに限定されない。第１の色相表示期間３１１乃至第３の色相表示期間３１３は、どのような色相を用いても構わない。例えば、第１の色相表示期間３１１に青を表示し、第２の色相表示期間３１２に赤を表示し、第３の色相表示期間３１３に緑を表示しても構わない。
【０１６４】
また、第１の色相表示期間３１１乃至第３の色相表示期間３１３に用いる色相を、赤、緑、青の組み合わせでなく、シアン、マゼンダ、イエローの組み合わせとしても良い。また、色相表示期間を増やし、赤、緑、青、シアン、マゼンダ、イエローの色相を適宜組み合わせて用いても良い。また、第１の色相表示期間３１１乃至第３の色相表示期間３１３に同一の色相を適用し、単色表示とすることもできる。なお、左眼用画像表示期間３２０の第１の色相表示期間３２１乃至第３の色相表示期間３２３についても同様である。
【０１６５】
また、第１の色相表示期間３１１乃至第３の色相表示期間３１３、及び第１の色相表示期間３２１乃至第３の色相表示期間３２３に表示する色相は、右眼用画像表示期間３１０と左眼用画像表示期間３２０毎で変えても良いし、またフレーム毎に変えても良い。例えば、右眼用画像表示期間３１０の第１の色相表示期間３１１に赤を表示し、左眼用画像表示期間３２０の第１の色相表示期間３２１に緑を表示しても良い。このように表示することで、カラーブレイクによる表示画像の画質低下をさらに軽減し、表示品位の良い表示装置を実現することができる。
【０１６６】
また、本実施の形態に示す液晶表示装置１００は、二次元表示を行うこともできる。二次元表示を行う場合は、右眼用画像表示期間３１０と左眼用画像表示期間３２０を分離して視認する必要がないため、眼鏡７０２を用いることなく画像を観察することができる。
【０１６７】
また、１フレームを右眼用画像表示期間３１０と左眼用画像表示期間３２０に分ける必要がないため、三次元表示と比べてフレーム期間を半分とすることができ、明るく消費電力が少ない表示装置を実現することができる。また、１フレーム毎に画素部１０全面が黒表示となるため（黒挿入）、動画表示時の残像を軽減することができる。
【０１６８】
本実施の形態は、他の実施の形態に記載した構成と適宜組み合わせて実施することが可能である。
【０１６９】
（実施の形態２）
本実施の形態では、本明細書に開示する液晶表示装置に適用できるトランジスタの例を示す。本明細書に開示する液晶表示装置に適用できるトランジスタの構造は特に限定されず、例えばゲート電極が、ゲート絶縁層を介して、半導体層の上側に配置されるトップゲート構造、又はゲート電極が、ゲート絶縁層を介して、半導体層の下側に配置されるボトムゲート構造のスタガ型及びプレーナ型などを用いることができる。また、トランジスタはチャネル形成領域が一つ形成されるシングルゲート構造でも、二つ形成されるダブルゲート構造もしくは三つ形成されるトリプルゲート構造であっても良い。また、チャネル領域の上下にゲート絶縁層を介して配置された２つのゲート電極を有する、デュアルゲート型でもよい。なお、図１２（Ａ）乃至（Ｄ）にトランジスタの断面構造の一例を以下に示す。
【０１７０】
図１２（Ａ）に示すトランジスタ４１０は、ボトムゲート構造のトランジスタの一つであり、逆スタガ型トランジスタともいう。
【０１７１】
トランジスタ４１０は、絶縁表面を有する基板４００上に、ゲート電極４０１、ゲート絶縁層４０２、半導体層４０３、ソース電極４０５ａ、及びドレイン電極４０５ｂを含む。また、トランジスタ４１０を覆い、半導体層４０３に積層する絶縁層４０７が設けられている。絶縁層４０７上にはさらに保護絶縁層４０９が形成されている。
【０１７２】
図１２（Ｂ）に示すトランジスタ４２０は、チャネル保護型（チャネルストップ型ともいう）と呼ばれるボトムゲート構造の一つであり逆スタガ型トランジスタともいう。
【０１７３】
トランジスタ４２０は、絶縁表面を有する基板４００上に、ゲート電極４０１、ゲート絶縁層４０２、半導体層４０３、半導体層４０３のチャネル形成領域を覆うチャネル保護層として機能する絶縁層４２７、ソース電極４０５ａ、及びドレイン電極４０５ｂを含む。また、トランジスタ４２０を覆い、保護絶縁層４０９が形成されている。
【０１７４】
図１２（Ｃ）に示すトランジスタ４３０はボトムゲート型のトランジスタであり、絶縁表面を有する基板４００上に、ゲート電極４０１、ゲート絶縁層４０２、ソース電極４０５ａ、ドレイン電極４０５ｂ、及び半導体層４０３を含む。また、トランジスタ４３０を覆い、半導体層４０３に接する絶縁層４０７が設けられている。絶縁層４０７上にはさらに保護絶縁層４０９が形成されている。
【０１７５】
トランジスタ４３０においては、ゲート絶縁層４０２は基板４００及びゲート電極４０１上に接して設けられ、ゲート絶縁層４０２上にソース電極４０５ａ、ドレイン電極４０５ｂが接して設けられている。そして、ゲート絶縁層４０２、及びソース電極４０５ａ、ドレイン電極４０５ｂ上に半導体層４０３が設けられている。
【０１７６】
図１２（Ｄ）に示すトランジスタ４４０は、トップゲート構造のトランジスタの一つである。トランジスタ４４０は、絶縁表面を有する基板４００上に、絶縁層４３７、半導体層４０３、ソース電極４０５ａ、ドレイン電極４０５ｂ、ゲート絶縁層４０２、及びゲート電極４０１を含み、ソース電極４０５ａ、ドレイン電極４０５ｂにそれぞれ配線層４３６ａ、配線層４３６ｂが接して設けられ、電気的に接続している。
【０１７７】
半導体層４０３に用いる半導体材料としては、アモルファスシリコン、微結晶シリコン、多結晶シリコンなどに代表される非単結晶半導体に限らず、単結晶半導体、ＧａＡｓやＣｄＴｅなどの化合物半導体、ＺｎＯやＩｎＧａＺｎＯなどの酸化物半導体、有機半導体などの既知の半導体材料を用いることができる。
【０１７８】
絶縁表面を有する基板４００に使用することができる基板に大きな制限はないが、バリウムホウケイ酸ガラスやアルミノホウケイ酸ガラスなどのガラス基板を用いる。
【０１７９】
ボトムゲート構造のトランジスタ４１０、４２０、４３０において、下地層となる絶縁層を基板とゲート電極の間に設けてもよい。下地層は、基板４００からの不純物元素の拡散を防止する機能があり、窒化シリコン層、酸化シリコン層、窒化酸化シリコン層、又は酸化窒化シリコン層から選ばれた一又は複数の絶縁層による積層構造により形成することができる。
【０１８０】
また、下地層となる絶縁層に、塩素、フッ素などのハロゲン元素を含ませることで、基板４００からの不純物元素の拡散を防止する機能をさらに高めることができる。下地層となる絶縁層に含ませるハロゲン元素の濃度は、ＳＩＭＳ（二次イオン質量分析計）を用いた分析により得られる濃度ピークにおいて、１×１０１５／ｃｍ３以上１×１０２０／ｃｍ３以下とすればよい。
【０１８１】
また、下地層となる絶縁層として酸化ガリウムを用いてもよい。また、下地層となる絶縁層を酸化ガリウムと上記絶縁層の積層構造としてもよい。酸化ガリウムは帯電しにくい材料であるため、絶縁層のチャージアップによるしきい値電圧の変動を抑えることができる。
【０１８２】
ゲート電極４０１の材料は、アルミニウム（Ａｌ）、クロム（Ｃｒ）、銅（Ｃｕ）、タンタル（Ｔａ）、チタン（Ｔｉ）、モリブデン（Ｍｏ）、タングステン（Ｗ）、ネオジム（Ｎｄ）、スカンジウム（Ｓｃ）等の金属材料またはこれらの元素を主成分とする合金材料や、これらの元素を成分とする金属窒化物（窒化チタン、窒化モリブデン、窒化タングステンなど）等を用いて、単層でまたは積層して形成することができる。
【０１８３】
導電層は配線としても形成されるため、低抵抗材料であるＡｌやＣｕを用いるのが好ましい。ＡｌやＣｕを用いることで、信号遅延を低減し、高画質化を実現することができる。なお、Ａｌは耐熱性が低く、ヒロック、ウィスカー、あるいはマイグレーションによる不良が発生しやすい。Ａｌのマイグレーションを防ぐため、Ａｌに、Ｍｏ、Ｔｉ、Ｗなどの、Ａｌよりも融点の高い金属材料を積層することが好ましい。
【０１８４】
また、導電層にＣｕを用いる場合も、マイグレーションによる不良やＣｕ元素の拡散を防ぐため、Ｍｏ、Ｔｉ、Ｗなどの、Ｃｕよりも融点の高い金属材料を積層することが好ましい。
【０１８５】
ゲート絶縁層４０２は、プラズマＣＶＤ法又はスパッタリング法等を用いて、酸化シリコン層、窒化シリコン層、酸化窒化シリコン層、窒化酸化シリコン層、酸化アルミニウム層、窒化アルミニウム層、酸化窒化アルミニウム層、窒化酸化アルミニウム層、又は酸化ハフニウム層を単層で又は積層して形成することができる。例えば、第１のゲート絶縁層としてプラズマＣＶＤ法により膜厚５０ｎｍ以上２００ｎｍ以下の窒化シリコン層（ＳｉＮｙ（ｙ＞０））を形成し、第１のゲート絶縁層上に第２のゲート絶縁層として膜厚５ｎｍ以上３００ｎｍ以下の酸化シリコン層（ＳｉＯｘ（ｘ＞０））を積層して、合計膜厚２００ｎｍのゲート絶縁層とする。
【０１８６】
ソース電極４０５ａ、ドレイン電極４０５ｂに用いる導電層は、ゲート電極４０１と同様の材料及び方法で形成することができる。また、ソース電極４０５ａ、ドレイン電極４０５ｂに電気的に接続する配線層４３６ａ、配線層４３６ｂのような導電層も、ソース電極４０５ａ、ドレイン電極４０５ｂと同様な材料を用いることができる。
【０１８７】
また、ソース電極４０５ａ、ドレイン電極４０５ｂ（これと同じ層で形成される配線層を含む）となる導電層としては導電性の金属酸化物で形成しても良い。導電性の金属酸化物としては酸化インジウム（Ｉｎ２Ｏ３）、酸化スズ（ＳｎＯ２）、酸化亜鉛（ＺｎＯ）、酸化インジウム酸化スズ合金（Ｉｎ２Ｏ３―ＳｎＯ２、ＩＴＯと略記する）、酸化インジウム酸化亜鉛合金（Ｉｎ２Ｏ３―ＺｎＯ）またはこれらの金属酸化物材料に酸化シリコンを含ませたものを用いることができる。また、１枚乃至１０枚のグラフェンシート（グラファイトの１層分）よりなる材料を用いてもよい。
【０１８８】
半導体層４０３の上方に設けられる絶縁層４０７、４２７、下方に設けられる絶縁層４３７は、代表的には酸化シリコン、酸化窒化シリコン、酸化アルミニウム、または酸化窒化アルミニウムなどの無機絶縁物を用いることができる。
【０１８９】
また、半導体層４０３の上方に設けられる保護絶縁層４０９は、窒化シリコン、窒化アルミニウム、窒化酸化シリコン、窒化酸化アルミニウムなどの無機絶縁物を用いることができる。
【０１９０】
また、保護絶縁層４０９上にトランジスタ起因の表面凹凸を低減するために平坦化絶縁層を形成してもよい。平坦化絶縁層としては、ポリイミド、アクリル樹脂、ベンゾシクロブテン系樹脂、エポキシ樹脂等の有機材料を用いることができる。また上記有機材料の他に、低誘電率材料（ｌｏｗ−ｋ材料）、シロキサン系樹脂、ＰＳＧ（リンガラス）、ＢＰＳＧ（リンボロンガラス）等を用いることができる。なお、これらの材料で形成される絶縁層を複数積層させることで、平坦化絶縁層を形成してもよい。
【０１９１】
本実施の形態は、他の実施の形態に記載した構成と適宜組み合わせて実施することが可能である。
【０１９２】
（実施の形態３）
本実施の形態では、本発明の一態様に係る液晶表示装置のパネルの一例について、図１３を用いて説明する。また、本発明の一態様に係る液晶表示装置の構成例について図１４を用いて説明する。
【０１９３】
図１３（Ａ）は、基板４００１と対向基板４００６とをシール材４００５によって接着させたパネルの上面図であり、図１３（Ｂ）は、図１３（Ａ）の破線Ｚ−Ｚ’における断面図に相当する。
【０１９４】
基板４００１上に設けられた画素部４００２と、走査線駆動回路４００４を囲むように、シール材４００５が設けられている。また、画素部４００２、走査線駆動回路４００４の上に対向基板４００６が設けられている。よって、画素部４００２と走査線駆動回路４００４は、基板４００１とシール材４００５と対向基板４００６とによって、液晶４００７と共に封止されている。
【０１９５】
また、基板４００１上のシール材４００５によって囲まれている領域とは異なる領域に、信号線駆動回路４００３が形成された基板４０２１が、実装されている。図１３では、信号線駆動回路４００３に含まれるトランジスタ４００９を例示している。
【０１９６】
また、基板４００１上に設けられた画素部４００２、走査線駆動回路４００４は、下地層４００８上にトランジスタを複数有している。図１３（Ｂ）では、画素部４００２に含まれるトランジスタ４０２２、容量素子４０２０を例示している。対向基板４００６に形成されている遮蔽層４０４０は、走査線駆動回路４００４が有するトランジスタ４０２３と重なっている。トランジスタ４０２３を遮光することで、半導体層４０３の光による劣化を防ぎ、トランジスタ４０２３のしきい値電圧がシフトするなどの特性の劣化を防ぐことができる。トランジスタ４０２２、トランジスタ４０２３は、実施の形態２で説明したトランジスタを用いることができる。
【０１９７】
また、トランジスタ４０２３上に、平坦化絶縁層４０１２を介して、バックゲート電極４０３２が形成されている。なお、バックゲート電極は、ゲート電極とバックゲート電極で半導体層４０３のチャネル形成領域を挟むように配置される。バックゲート電極は導電層で形成され、ゲート電極と同様に機能させることができる。また、バックゲート電極の電位を変化させることで、トランジスタのしきい値電圧を変化させることができる。図１３に示すバックゲート電極４０３２は、画素電極４０３０と同じ導電層で形成されている。
【０１９８】
また、液晶素子４０１１が有する画素電極４０３０は、透光性を有する導電性材料により形成され、トランジスタ４０２２及び容量素子４０２０と電気的に接続されている。
透光性を有する導電性材料としては、酸化インジウム（Ｉｎ２Ｏ３）、酸化スズ（ＳｎＯ２）、酸化亜鉛（ＺｎＯ）、酸化インジウム酸化スズ合金（Ｉｎ２Ｏ３―ＳｎＯ２と略記する）、酸化インジウム酸化亜鉛合金（Ｉｎ２Ｏ３―ＺｎＯ）またはこれらの金属酸化物材料に酸化シリコンを含ませたものを用いることができる。また、１枚乃至１０枚のグラフェンシート（グラファイトの１層分）よりなる材料を用いてもよい。
【０１９９】
そして、液晶素子４０１１の対向電極４０３１は、対向基板４００６に形成されている。画素電極４０３０と対向電極４０３１と液晶４００７とが重なっている部分が、液晶素子４０１１に相当する。また、画素電極４０３０は配向層４０３４を介して液晶４００７と重なり、対向電極４０３１は配向層４０３５を介して液晶４００７と重なっている。
【０２００】
液晶４００７に用いられる液晶材料の一例としては、ネマチック液晶、コレステリック液晶、スメクチック液晶、ディスコチック液晶、サーモトロピック液晶、リオトロピック液晶、低分子液晶、高分子分散型液晶（ＰＤＬＣ）、強誘電液晶、反強誘電液晶、主鎖型液晶、側鎖型高分子液晶、バナナ型液晶などを挙げることができる。
【０２０１】
また、配向層を用いないブルー相を示す液晶を用いてもよい。ブルー相は液晶相の一つであり、コレステリック液晶を昇温していくと、コレステリック相から等方相へ転移する直前に発現する相である。ブルー相は狭い温度範囲でしか発現しないため、カイラル剤や紫外線硬化樹脂を添加して温度範囲を改善する。ブルー相を示す液晶とカイラル剤とを含む液晶組成物は、光学的等方性であるため配向処理が不要であり、視野角依存性が小さいため好ましい。また、ブルー相を示す液晶は、応答速度が１０μｓｅｃ．以上１００μｓｅｃ．以下と短い。このため、高速動作が要求されるフィールドシーケンシャル方式に、ブルー相を示す液晶を用いると好適である。
【０２０２】
また液晶の駆動方法としては、ＴＮ（Ｔｗｉｓｔｅｄ  Ｎｅｍａｔｉｃ）モード、ＳＴＮ（Ｓｕｐｅｒ  Ｔｗｉｓｔｅｄ  Ｎｅｍａｔｉｃ）モード、ＶＡ（Ｖｅｒｔｉｃａｌ  Ａｌｉｇｎｍｅｎｔ）モード、ＭＶＡ（Ｍｕｌｔｉ−ｄｏｍａｉｎ  Ｖｅｒｔｉｃａｌ  Ａｌｉｇｎｍｅｎｔ）モード、ＩＰＳ（Ｉｎ−Ｐｌａｎｅ  Ｓｗｉｔｃｈｉｎｇ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モード、ＰＤＬＣ（Ｐｏｌｙｍｅｒ  Ｄｉｓｐｅｒｓｅｄ  Ｌｉｑｕｉｄ  Ｃｒｙｓｔａｌ）モード、ＰＮＬＣ（Ｐｏｌｙｍｅｒ  Ｎｅｔｗｏｒｋ  Ｌｉｑｕｉｄ  Ｃｒｙｓｔａｌ）モード、ゲストホストモードなどを適用することが可能である。
【０２０３】
また、スペーサ４０３６は、対向基板４００６上に絶縁層で形成された柱状のスペーサであり、画素電極４０３０と対向電極４０３１との間の距離（セルギャップ）を制御するために設けられている。なお、図１３（Ｂ）では、スペーサ４０３６が、絶縁層をパターニングすることで形成されている場合を例示しているが、球状スペーサを用いていても良い。
【０２０４】
また、信号線駆動回路４００３、走査線駆動回路４００４、画素部４００２に与えられる各種信号及び電位は、配線４０１５を介して、接続端子４０１６から供給されている。接続端子４０１６は、ＦＰＣ４０１８が有する端子と、異方性導電層４０１９を介して電気的に接続されている。
【０２０５】
なお、基板４００１、対向基板４００６、基板４０２１には、ガラス、セラミックス、プラスチックを用いることができる。プラスチックには、ＦＲＰ（Ｆｉｂｅｒｇｌａｓｓ−Ｒｅｉｎｆｏｒｃｅｄ  Ｐｌａｓｔｉｃｓ）板、ＰＶＦ（ポリビニルフルオライド）フィルム、ポリエステルフィルムまたはアクリル樹脂フィルムなどが含まれる。
【０２０６】
図１４は、本発明の一態様に係る液晶表示装置の構成例を示す斜視図である。図１４に示す液晶表示装置は、画素部を有するパネル１６０１と、第１の拡散板１６０２と、プリズムシート１６０３と、第２の拡散板１６０４と、導光板１６０５と、バックライトパネル１６０７と、回路基板１６０８と、信号線駆動回路の形成された基板１６１１とを有している。
【０２０７】
パネル１６０１と、第１の拡散板１６０２と、プリズムシート１６０３と、第２の拡散板１６０４と、導光板１６０５と、バックライトパネル１６０７とは、順に積層されている。バックライトパネル１６０７は、複数のバックライトユニット４０がマトリクス状に配置されたバックライト１６１２を有している。導光板１６０５内部に拡散されたバックライト１６１２からの光は、第１の拡散板１６０２、プリズムシート１６０３及び第２の拡散板１６０４によって、パネル１６０１に照射される。
【０２０８】
なお、本実施の形態では、第１の拡散板１６０２と第２の拡散板１６０４とを用いているが、拡散板の数はこれに限定されず、単数であっても３以上であっても良い。そして、拡散板は導光板１６０５とパネル１６０１の間に設けられていれば良い。よって、プリズムシート１６０３よりもパネル１６０１に近い側にのみ拡散板が設けられていても良いし、プリズムシート１６０３よりも導光板１６０５に近い側にのみ拡散板が設けられていても良い。
【０２０９】
またプリズムシート１６０３は、図１４に示した断面が鋸歯状の形状に限定されず、導光板１６０５からの光をパネル１６０１側に集光できる形状を有していれば良い。
【０２１０】
回路基板１６０８には、パネル１６０１に入力される各種信号を生成する回路、またはこれら信号に処理を施す回路などが設けられている。そして、本実施の形態では、回路基板１６０８とパネル１６０１とが、ＣＯＦテープ１６０９を介して電気的に接続されている。また、信号線駆動回路の形成された基板１６１１が、ＣＯＦ（Ｃｈｉｐ  ＯＮ  Ｆｉｌｍ）法を用いてＣＯＦテープ１６０９に電気的に接続されている。
【０２１１】
本実施の形態では、バックライト１６１２の駆動を制御する制御系の回路が回路基板１６０８に設けられており、該制御系の回路とバックライトパネル１６０７とがＦＰＣ１６１０を介して電気的に接続されている例を示している。ただし、上記制御系の回路はパネル１６０１に形成されていても良く、この場合はパネル１６０１とバックライトパネル１６０７とがＦＰＣなどにより電気的に接続されるようにする。
【０２１２】
本実施の形態は、他の実施の形態に記載した構成と適宜組み合わせて実施することが可能である。
【０２１３】
（実施の形態４）
本実施の形態では、半導体装置の一形態として、上記実施の形態における表示装置を備えた電子機器の構成例について説明する。
【０２１４】
本実施の形態に示す電子機器の構成例について、図１５（Ａ）乃至図１５（Ｄ）を用いて説明する。図１５（Ａ）乃至図１５（Ｄ）は、電子機器の構成例を説明するための模式図である。
【０２１５】
図１５（Ａ）に示す電子機器は、携帯型情報端末の例である。図１５（Ａ）に示す情報端末は、筐体１００１ａと、筐体１００１ａに設けられた表示部１００２ａと、を具備する。上記実施の形態で開示した液晶表示装置は、カラーフィルターを用いないため、バックライトの光を効率良く視認者に伝えることができる。よって、上記実施の形態で開示した液晶表示装置を表示部１００２ａに用いることで、消費電力の少ない携帯型情報端末を実現することができる。
【０２１６】
なお、筐体１００１ａの側面１００３ａに外部機器に接続させるための接続端子、及び図１５（Ａ）に示す携帯型情報端末を操作するためのボタンの一つ又は複数を設けてもよい。
【０２１７】
図１５（Ａ）に示す携帯型情報端末は、筐体１００１ａの中に、ＣＰＵと、メインメモリと、外部機器とＣＰＵ及びメインメモリとの信号の送受信を行うインターフェースと、外部機器との信号の送受信を行うアンテナと、を備える。なお、筐体１００１ａの中に、特定の機能を有する集積回路を一つ又は複数設けてもよい。
【０２１８】
また、図１５（Ａ）に示すように、シャッター付きのメガネ１０１１ａを用いて表示部１００２ａの画像を視認することにより、擬似的に三次元の画像を視認することができる。メガネ１０１１ａは、液晶を用いて構成される左眼用シャッター１０１２ａ及び右眼用シャッター１０１３ａを備える。例えば、表示部１００２ａの画像が左眼用の画像のときには、右眼用シャッター１０１３ａにより視認者の右眼への光の入射を遮断し、表示部１００２ａの画像が右眼用の画像のときには、左眼用シャッター１０１２ａにより視認者の左眼への光の入射を遮断することにより、視認者は、擬似的に三次元の画像を認識することができる。なお、メガネ１０１１ａにアンテナを設け、無線通信により制御信号を含む搬送波を受信することにより、左眼用シャッター１０１２ａ及び右眼用シャッター１０１３ａによる光の透過または遮断を制御してもよい。
【０２１９】
図１５（Ａ）に示す携帯型情報端末は、例えば電話機、電子書籍、パーソナルコンピュータ、及び遊技機の一つ又は複数としての機能を有する。
【０２２０】
図１５（Ｂ）に示す電子機器は、折り畳み式の携帯型情報端末の例である。図１５（Ｂ）に示す携帯型情報端末は、筐体１００１ｂと、筐体１００１ｂに設けられた表示部１００２ｂと、筐体１００４と、筐体１００４に設けられた表示部１００５と、筐体１００１ｂ及び筐体１００４を接続する軸部１００６と、を具備する。
【０２２１】
また、図１５（Ｂ）に示す携帯型情報端末では、軸部１００６により筐体１００１ｂ又は筐体１００４を動かすことにより、筐体１００１ｂを筐体１００４に重畳させることができる。
【０２２２】
なお、筐体１００１ｂの側面１００３ｂ又は筐体１００４の側面１００７に外部機器に接続させるための接続端子、及び図１５（Ｂ）に示す携帯型情報端末を操作するためのボタンの一つ又は複数を設けてもよい。
【０２２３】
また、表示部１００２ｂ及び表示部１００５に、互いに異なる画像又は一続きの画像を表示させてもよい。なお、表示部１００５を必ずしも設ける必要はなく、表示部１００５の代わりに、入力装置であるキーボードを設けてもよい。
【０２２４】
図１５（Ｂ）に示す携帯型情報端末は、筐体１００１ｂ又は筐体１００４の中に、ＣＰＵと、メインメモリと、外部機器とＣＰＵ及びメインメモリとの信号の送受信を行うインターフェースと、を備える。また、筐体１００１ｂ又は筐体１００４の中に、特定の機能を有する集積回路を１つ又は複数設けてもよい。また、図１５（Ｂ）に示す携帯型情報端末に、外部との信号の送受信を行うアンテナを設けてもよい。
【０２２５】
また、図１５（Ｂ）に示すように、シャッター付きのメガネ１０１１ｂを用いて表示部１００２ｂ又は表示部１００５の画像を視認することにより、擬似的に三次元の画像を視認することができる。メガネ１０１１ｂは、液晶を用いて構成される左眼用シャッター１０１２ｂ及び右眼用シャッター１０１３ｂを備える。例えば、表示部１００２ｂ又は表示部１００５の画像が左眼用の画像のときには、右眼用シャッター１０１３ｂにより視認者の右眼への光の入射を遮断し、表示部１００２ｂ又は表示部１００５の画像が右眼用の画像のときには、左眼用シャッター１０１２ｂにより視認者の左眼への光の入射を遮断することにより、視認者は、擬似的に三次元の画像を認識することができる。なお、メガネ１０１１ｂにアンテナを設け、無線通信により制御信号を含む搬送波を受信することにより、左眼用シャッター１０１２ｂ及び右眼用シャッター１０１３ｂによる光の透過または遮断を制御してもよい。
【０２２６】
図１５（Ｂ）に示す携帯型情報端末は、例えば電話機、電子書籍、パーソナルコンピュータ、及び遊技機の一つ又は複数としての機能を有する。
【０２２７】
図１５（Ｃ）に示す電子機器は、設置型情報端末の例である。図１５（Ｃ）に示す設置型情報端末は、筐体１００１ｃと、筐体１００１ｃに設けられた表示部１００２ｃと、を具備する。
【０２２８】
なお、表示部１００２ｃを、筐体１００１ｃにおける甲板部１００８に設けることもできる。
【０２２９】
また、図１５（Ｃ）に示す設置型情報端末は、筐体１００１ｃの中に、ＣＰＵと、メインメモリと、外部機器とＣＰＵ及びメインメモリとの信号の送受信を行うインターフェースと、を備える。なお、筐体１００１ｃの中に、特定の機能を有する集積回路を一つ又は複数設けてもよい。また、図１５（Ｃ）に示す設置型情報端末に、外部との信号の送受信を行うアンテナを設けてもよい。
【０２３０】
さらに、図１５（Ｃ）に示す設置型情報端末における筐体１００１ｃの側面１００３ｃに券などを出力する券出力部、硬貨投入部、及び紙幣挿入部の一つ又は複数を設けてもよい。
【０２３１】
また、図１５（Ｃ）に示すように、シャッター付きのメガネ１０１１ｃを用いて表示部１００２ｃの画像を視認することにより、擬似的に三次元の画像を視認することができる。メガネ１０１１ｃは、液晶を用いて構成される左眼用シャッター１０１２ｃ及び右眼用シャッター１０１３ｃを備える。例えば、表示部１００２ｃの画像が左眼用の画像のときには、右眼用シャッター１０１３ｃにより視認者の右眼への光の入射を遮断し、表示部１００２ｃの画像が右眼用の画像のときには、左眼用シャッター１０１２ｃにより視認者の左眼への光の入射を遮断することにより、視認者は、擬似的に三次元の画像を認識することができる。なお、メガネ１０１１ｃにアンテナを設け、無線通信により制御信号を含む搬送波を受信することにより、左眼用シャッター１０１２ｃ及び右眼用シャッター１０１３ｃによる光の透過または遮断を制御してもよい。
【０２３２】
図１５（Ｃ）に示す設置型情報端末は、例えば現金自動預け払い機、券などの注文をするための情報通信端末（マルチメディアステーションともいう）、又は遊技機としての機能を有する。
【０２３３】
図１５（Ｄ）は、設置型情報端末の例である。図１５（Ｄ）に示す設置型情報端末は、筐体１００１ｄと、筐体１００１ｄに設けられた表示部１００２ｄと、を具備する。なお、筐体１００１ｄを支持する支持台を設けてもよい。
【０２３４】
なお、筐体１００１ｄの側面１００３ｄに外部機器に接続させるための接続端子、及び図１５（Ｄ）に示す設置型情報端末を操作するためのボタンの一つ又は複数を設けてもよい。
【０２３５】
また、図１５（Ｄ）に示す設置型情報端末は、筐体１００１ｄの中に、ＣＰＵと、メインメモリと、外部機器とＣＰＵ及びメインメモリとの信号の送受信を行うインターフェースと、を備えてもよい。また、筐体１００１ｄの中に、特定の機能を有する集積回路を一つ又は複数設けてもよい。また、図１５（Ｄ）に示す設置型情報端末に、外部との信号の送受信を行うアンテナを設けてもよい。
【０２３６】
また、図１５（Ｄ）に示すように、シャッター付きのメガネ１０１１ｄを用いて表示部１００２ｄの画像を視認することにより、擬似的に三次元の画像を視認することができる。メガネ１０１１ｄは、液晶を用いて構成される左眼用シャッター１０１２ｄ及び右眼用シャッター１０１３ｄを備える。例えば、表示部１００２ｄの画像が左眼用の画像のときには、右眼用シャッター１０１３ｄにより視認者の右眼への光の入射を遮断し、表示部１００２ｄの画像が右眼用の画像のときには、左眼用シャッター１０１２ｄにより視認者の左眼への光の入射を遮断することにより、視認者は、擬似的に三次元の画像を認識することができる。なお、メガネ１０１１ｄにアンテナを設け、無線通信により制御信号を含む搬送波を受信することにより、左眼用シャッター１０１２ｄ及び右眼用シャッター１０１３ｄによる光の透過または遮断を制御してもよい。
【０２３７】
図１５（Ｄ）に示す設置型情報端末は、例えばデジタルフォトフレーム、入出力モニタ、又はテレビジョン装置としての機能を有する。
【０２３８】
上記実施の形態の液晶表示装置は、例えば電子機器の表示部として用いられ、例えば図１５（Ａ）乃至図１５（Ｄ）に示す表示部１００２ａ乃至表示部１００２ｄとして用いられる。また、図１５（Ｂ）に示す表示部１００５として上記実施の形態の液晶表示装置を用いてもよい。
【０２３９】
図１５を用いて説明したように、本実施の形態の電子機器の一例は、上記実施の形態における液晶表示装置が用いられた表示部を具備する構成である。該構成にすることにより、表示部の画像を、擬似的に三次元の画像として視認することができる。
【０２４０】
また、本実施の形態の電子機器の一例では、筐体に、入射する照度に応じて電源電圧を生成する光電変換部、及び液晶表示装置を操作する操作部のいずれか一つ又は複数を設けてもよい。例えば光電変換部を設けることにより、外部電源が不要となるため、外部電源が無い場所であっても、該電子機器を長時間使用することができる。
【符号の説明】
【０２４１】
１０    画素部
１１    走査線駆動回路
１２    信号線駆動回路
１３    走査線
１４    信号線
１５    画素
１６    トランジスタ
１７    容量素子
１８    液晶素子
２０    パルス出力回路
２１    端子
２２    端子
２３    端子
２４    端子
２５    端子
２６    端子
２７    端子
３１    トランジスタ
３２    トランジスタ
３３    トランジスタ
３４    トランジスタ
３５    トランジスタ
３６    トランジスタ
３７    トランジスタ
３８    トランジスタ
３９    トランジスタ
４０    バックライトユニット
１００    液晶表示装置
１０１    領域
１０２    領域
１０３    領域
１２０    シフトレジスタ
１２１    トランジスタ
３１０    右眼用画像表示期間
３１１    色相表示期間
３１２    色相表示期間
３１３    色相表示期間
３１４    黒表示期間
３１８    右眼用シャッター開期間
３１９    左眼用シャッター閉期間
３２０    左眼用画像表示期間
３２１    色相表示期間
３２２    色相表示期間
３２３    色相表示期間
３２４    黒表示期間
３２８    右眼用シャッター閉期間
３２９    左眼用シャッター開期間
３３１    期間
３３２    バックライト点灯期間
３４１    画像信号
３４２    画像信号
３４３    画像信号
３４４    画像信号
４００    基板
４０１    ゲート電極
４０２    ゲート絶縁層
４０３    半導体層
４０７    絶縁層
４０９    保護絶縁層
４１０    トランジスタ
４２０    トランジスタ
４２７    絶縁層
４３０    トランジスタ
４３７    絶縁層
４４０    トランジスタ
７０２    眼鏡
７２３    左眼
７２４    右眼
１００４    筐体
１００５    表示部
１００６    軸部
１００７    側面
１００８    甲板部
１６０１    パネル
１６０２    拡散板
１６０３    プリズムシート
１６０４    拡散板
１６０５    導光板
１６０７    バックライトパネル
１６０８    回路基板
１６０９    ＣＯＦテープ
１６１０    ＦＰＣ
１６１１    基板
１６１２    バックライト
４００１    基板
４００２    画素部
４００３    信号線駆動回路
４００４    走査線駆動回路
４００５    シール材
４００６    対向基板
４００７    液晶
４００８    下地層
４００９    トランジスタ
４０１１    液晶素子
４０１２    平坦化絶縁層
４０１５    配線
４０１６    接続端子
４０１８    ＦＰＣ
４０１９    異方性導電層
４０２０    容量素子
４０２１    基板
４０２２    トランジスタ
４０２３    トランジスタ
４０３０    画素電極
４０３１    対向電極
４０３２    バックゲート電極
４０３４    配向層
４０３５    配向層
４０３６    スペーサ
４０４０    遮蔽層
１００１ａ    筐体
１００１ｂ    筐体
１００１ｃ    筐体
１００１ｄ    筐体
１００２ａ    表示部
１００２ｂ    表示部
１００２ｃ    表示部
１００２ｄ    表示部
１００３ａ    側面
１００３ｂ    側面
１００３ｃ    側面
１００３ｄ    側面
１０１１ａ    メガネ
１０１１ｂ    メガネ
１０１１ｃ    メガネ
１０１１ｄ    メガネ
１０１２ａ    左眼用シャッター
１０１２ｂ    左眼用シャッター
１０１２ｃ    左眼用シャッター
１０１２ｄ    左眼用シャッター
１０１３ａ    右眼用シャッター
１０１３ｂ    右眼用シャッター
１０１３ｃ    右眼用シャッター
１０１３ｄ    右眼用シャッター
４０５ａ    ソース電極
４０５ｂ    ドレイン電極
４３６ａ    配線層
４３６ｂ    配線層
７０３Ａ    左眼用シャッター
７０３Ｂ    右眼用シャッター
【図１】
0005947024.tif 000002
【図２】
0005947024.tif 000003
【図３】
0005947024.tif 000004
【図４】
0005947024.tif 000005
【図５】
0005947024.tif 000006
【図６】
0005947024.tif 000007
【図７】
0005947024.tif 000008
【図８】
0005947024.tif 000009
【図９】
0005947024.tif 000010
【図１０】
0005947024.tif 000011
【図１１】
0005947024.tif 000012
【図１２】
0005947024.tif 000013
【図１３】
0005947024.tif 000014
【図１４】
0005947024.tif 000015
【図１５】
0005947024.tif 000016